(57)【要約】提供されるものは、ＵＥ移行方法、装置、およびシステム、ならびに記憶媒体である。アクティブＳＭＦとのシグナリング相互作用を確立するＮＦが、ＮＦとアクティブＳＭＦとの間のリンク状態を入手し、ＮＦは、アクティブＳＭＦが機能しなくなることを決定するステップに応答して、ＳＭＦ障害通知メッセージをスタンバイＳＭＦに送信し、スタンバイＳＭＦは、受信されたＳＭＦ障害通知メッセージに従って、アクティブＳＭＦ上の移行されるべきＵＥをスタンバイＳＭＦに移行させる。さらに提供されるものは、バッチで機能しなくなったＳＭＦ上のＵＥをスタンバイＳＭＦに復旧するための方法である。
2022502926.tif 000002
【特許請求の範囲】
【請求項１】
ユーザ機器（ＵＥ）移行方法であって、
ネットワーク機能（ＮＦ）によって、前記ＮＦとアクティブセッション管理機能（ＳＭＦ）との間のリンク状態を入手することであって、前記ＮＦは、前記アクティブＳＭＦとのシグナリング相互作用を確立するＮＦである、ことと、
前記ＮＦによって、前記アクティブＳＭＦが機能しなくなることを決定することに応答して、ＳＭＦ障害通知メッセージをスタンバイＳＭＦに送信することであって、前記ＳＭＦ障害通知メッセージは、前記アクティブＳＭＦ上のＵＥを前記スタンバイＳＭＦに移行させるように前記スタンバイＳＭＦをトリガするために使用される、ことと
を含む、ＵＥ移行方法。
【請求項２】
前記ＮＦは、ユーザプレーン機能（ＵＰＦ）である、請求項１に記載のＵＥ移行方法。
【請求項３】
前記ＮＦによって、前記ＮＦと前記アクティブＳＭＦとの間の前記リンク状態を入手することは、
Ｎ４シグナリングメッセージを前記アクティブＳＭＦに送信するときに、Ｎ４シグナリング送信状態を検出することによって、前記ＵＰＦによって、前記ＵＰＦと前記アクティブＳＭＦとの間の前記リンク状態を入手すること、または
前記アクティブＳＭＦとのＮ４関連付けが確立された後に、前記ＵＰＦと前記アクティブＳＭＦとの間のハートビートに従って、前記ＵＰＦによって、前記ＵＰＦと前記アクティブＳＭＦとの間の前記リンク状態を入手すること
を含む、請求項２に記載のＵＥ移行方法。
【請求項４】
前記ＮＦは、非ＵＰＦ  ＮＦであり、前記非ＵＰＦ  ＮＦは、アクセスおよびモビリティ管理機能（ＡＭＦ）、ポリシ制御機能（ＰＣＦ）、または統一データ管理（ＵＤＭ）機能のうちの１つを備える、請求項１に記載のＵＥ移行方法。
【請求項５】
前記ＮＦによって、前記ＮＦと前記アクティブＳＭＦとの間の前記リンク状態を入手することは、
前記アクティブＳＭＦとの前記シグナリング相互作用が確立された後に、前記非ＵＰＦ  ＮＦと前記アクティブＳＭＦとの間のハートビートまたはシグナリング相互作用応答状況に従って、前記非ＵＰＦ  ＮＦによって、前記非ＵＰＦ  ＮＦと前記アクティブＳＭＦとの間の前記リンク状態を入手すること
を含む、請求項４に記載のＵＥ移行方法。
【請求項６】
前記ＳＭＦ障害通知メッセージを前記スタンバイＳＭＦに送信する前に、前記ＮＦによって、前記アクティブＳＭＦのスタンバイＳＭＦについての情報を入手することをさらに含み、
前記ＳＭＦ障害通知メッセージを前記スタンバイＳＭＦに送信することは、
前記ＮＦによって、前記スタンバイＳＭＦについての前記情報に従って、前記ＳＭＦ障害通知メッセージを前記スタンバイＳＭＦに送信すること
を含む、請求項１に記載のＵＥ移行方法。
【請求項７】
前記ＮＦによって、前記アクティブＳＭＦのスタンバイＳＭＦについての前記情報を入手することは、
ＮＦリポジトリ機能（ＮＲＦ）が前記アクティブＳＭＦからＮＦ登録要求を受信するときに、前記ＮＦによって、前記ＮＲＦから、前記アクティブＳＭＦによって登録される前記スタンバイＳＭＦについての前記情報を入手すること
を含む、または
前記ＮＦがＵＰＦであることに応答して、前記ＮＦによって、前記アクティブＳＭＦのスタンバイＳＭＦについての前記情報を入手することは、
前記アクティブＳＭＦによって送信されるＮ４関連付け確立要求、Ｎ４関連付け更新要求、Ｎ４セッション確立要求、またはＮ４セッション更新要求を受信するときに、前記ＵＰＦによって、前記Ｎ４関連付け確立要求、前記Ｎ４関連付け更新要求、前記Ｎ４セッション確立要求、または前記Ｎ４セッション更新要求内で搬送される前記スタンバイＳＭＦについての前記情報を入手すること
を含む、請求項６に記載のＵＥ移行方法。
【請求項８】
前記スタンバイＳＭＦについての前記情報は、前記スタンバイＳＭＦのセット識別子、前記スタンバイＳＭＦのインスタンス識別子、前記スタンバイＳＭＦのＳＭＦノード識別子、前記スタンバイＳＭＦのＳＭＦ復旧のためのコールバックユニフォームリソース識別子（ＵＲＩ）、前記スタンバイＳＭＦのＮ４インターフェース情報、またはスタンバイＳＭＦの識別子とセグメントインデックス識別子（ＩＤ）との間の対応のうちの少なくとも１つを備え、前記対応は、前記アクティブＳＭＦ上のＵＥコンテキスト情報がセグメント化およびインデックス化された後の対応するスタンバイＳＭＦを示すために使用される、請求項６に記載のＵＥ移行方法。
【請求項９】
前記ＳＭＦ障害通知メッセージは、前記アクティブＳＭＦのＳＭＦインスタンス識別子、前記アクティブＳＭＦのＳＭＦノード識別子、前記アクティブＳＭＦのＳＭＦ障害インジケーション、またはＵＥ移行範囲インジケーションのうちの少なくとも１つを備える、請求項１−８のいずれか１項に記載のＵＥ移行方法。
【請求項１０】
前記ＵＥ移行範囲インジケーションは、全てのＵＥ、規定範囲内のＵＥ、またはランダム範囲内のＵＥのうちのいずれか１つを備える、請求項９に記載のＵＥ移行方法。
【請求項１１】
ユーザ機器（ＵＥ）移行方法であって、
スタンバイセッション管理機能（ＳＭＦ）によって、アクティブＳＭＦが機能しなくなることをネットワーク機能（ＮＦ）が決定することに応答して、前記ＮＦによって送信されるＳＭＦ障害通知メッセージを受信することであって、前記ＮＦは、前記アクティブＳＭＦとのシグナリング相互作用を確立するＮＦである、ことと、
前記スタンバイＳＭＦによって、前記アクティブＳＭＦ上のＵＥを前記スタンバイＳＭＦに移行させることと
を含む、ＵＥ移行方法。
【請求項１２】
前記ＮＦは、ユーザプレーン機能（ＵＰＦ）である、請求項１１に記載のＵＥ移行方法。
【請求項１３】
前記スタンバイＳＭＦによって、前記アクティブＳＭＦが機能しなくなることを決定することに応答して、前記ＮＦによって送信されるＳＭＦ障害通知メッセージを受信することは、
前記アクティブＳＭＦが機能しなくなることを前記ＵＰＦが決定する場合において、前記スタンバイＳＭＦによって、前記スタンバイＳＭＦのＳＭＦ復旧のためのコールバックユニフォームリソース識別子（ＵＲＩ）を通して前記ＵＰＦによって送信される前記ＳＭＦ障害通知メッセージを受信すること、または
前記アクティブＳＭＦが機能しなくなることを前記ＵＰＦが決定する場合において、前記スタンバイＳＭＦによって、前記スタンバイＳＭＦのＮ４インターフェースを通して前記ＵＰＦによって送信される前記ＳＭＦ障害通知メッセージを受信すること
を含む、請求項１２に記載のＵＥ移行方法。
【請求項１４】
前記ＳＭＦ障害通知メッセージは、前記アクティブＳＭＦが機能しなくなることを前記スタンバイＳＭＦに示すための障害インジケーション情報を備える、または
前記ＳＭＦ障害通知メッセージは、サービスメッセージによって示されるＵＥコンテキスト情報を見出すことに応答して、前記スタンバイＳＭＦが、前記アクティブＳＭＦが機能しなくなることを決定するためのサービスメッセージである、
請求項１１に記載のＵＥ移行方法。
【請求項１５】
前記スタンバイＳＭＦによって、前記アクティブＳＭＦ上の前記ＵＥを前記スタンバイＳＭＦに移行させることは、
前記スタンバイＳＭＦによって、前記ＳＭＦ障害通知メッセージ内のＵＥ移行範囲インジケーションに従って、前記アクティブＳＭＦ上で移行されるべきＵＥを決定することと、
前記スタンバイＳＭＦによって、前記決定されたＵＥを前記スタンバイＳＭＦに移行させることと
を含む、請求項１１に記載のＵＥ移行方法。
【請求項１６】
前記スタンバイＳＭＦによって、前記アクティブＳＭＦ上の前記ＵＥを前記スタンバイＳＭＦに移行させることは、
前記スタンバイＳＭＦによって、前記スタンバイＳＭＦの非構造化データ記憶機能（ＵＤＳＦ）またはローカル記憶バックアップから、前記アクティブＳＭＦ上のＵＥのコンテキスト情報を入手することと、
前記スタンバイＳＭＦによって、前記ＵＥのコンテキスト情報に従って、前記アクティブＳＭＦとの前記シグナリング相互作用を確立する前記ＮＦ上のＳＭＦ情報を更新し、前記ＵＥを前記アクティブＳＭＦから前記スタンバイＳＭＦに移行させることと
を含む、請求項１１−１５のいずれか１項に記載のＵＥ移行方法。
【請求項１７】
前記スタンバイＳＭＦによって、前記ＵＥのコンテキスト情報に従って、前記アクティブＳＭＦとの前記シグナリング相互作用を確立する前記ＮＦ上のＳＭＦ情報を更新することは、
前記スタンバイＳＭＦによって、単一のＵＥのユニット内の前記ＵＥのコンテキスト情報に従って、前記アクティブＳＭＦとの前記シグナリング相互作用を確立する前記ＮＦ上のＳＭＦ情報を更新すること、
前記スタンバイＳＭＦによって、単一のＮＦのユニット内の前記ＵＥのコンテキスト情報に従って、前記アクティブＳＭＦとの前記シグナリング相互作用を確立する前記ＮＦ上のＳＭＦ情報を更新すること、または
前記スタンバイＳＭＦによって、前記アクティブＳＭＦとの前記シグナリング相互作用を確立する前記ＮＦ上のＳＭＦ情報を更新するように、単一のＵＥのユニット内の前記ＵＥのコンテキスト情報に従って、パケットデータユニット（ＰＤＵ）セッションを更新すること
のうちの１つを含む、請求項１６に記載のＵＥ移行方法。
【請求項１８】
前記スタンバイＳＭＦによって、単一のＵＥのユニット内の前記ＵＥのコンテキスト情報に従って、前記アクティブＳＭＦとの前記シグナリング相互作用を確立する前記ＮＦ上のＳＭＦ情報を更新することは、
前記スタンバイＳＭＦによって、前記ＵＥのコンテキスト情報に従って、前記アクティブＳＭＦとの前記シグナリング相互作用を確立するＮ４セッション更新要求を前記ＵＰＦに送信し、前記ＵＰＦ上の前記ＳＭＦ情報を更新することであって、前記Ｎ４セッション更新要求は、ＳＭＦ置換インジケーションと、前記アクティブＳＭＦについての情報とを備える、こと、
前記スタンバイＳＭＦによって、前記ＵＥのコンテキスト情報に従って、前記アクティブＳＭＦとの前記シグナリング相互作用を確立するＳＭＦ登録更新要求を統一データ管理（ＵＤＭ）機能に送信し、前記ＵＤＭ上の前記ＳＭＦ情報を更新することであって、前記ＳＭＦ登録更新要求は、ＳＭＦ置換インジケーションと、前記アクティブＳＭＦについての情報とを備える、こと、
前記スタンバイＳＭＦによって、前記ＵＥのコンテキスト情報に従って、前記アクティブＳＭＦとの前記シグナリング相互作用を確立するＳＭセッション状態更新要求をアクセスおよびモビリティ管理機能（ＡＭＦ）に送信し、前記ＡＭＦ上の前記ＳＭＦ情報を更新することであって、前記ＳＭセッション状態更新要求は、ＳＭＦ置換インジケーションと、前記アクティブＳＭＦについての情報とを備える、こと、または
前記スタンバイＳＭＦによって、前記ＵＥのコンテキスト情報に従って、前記アクティブＳＭＦとの前記シグナリング相互作用を確立するＳＭポリシ更新要求をポリシ制御機能（ＰＣＦ）に送信し、前記ＰＣＦ上の前記ＳＭＦ情報を更新することであって、前記ＳＭポリシ更新要求は、ＳＭＦ置換インジケーションと、前記アクティブＳＭＦについての情報とを備える、こと
のうちの少なくとも１つを含む、請求項１７に記載のＵＥ移行方法。
【請求項１９】
前記スタンバイＳＭＦによって、単一のＮＦのユニット内の前記ＵＥのコンテキスト情報に従って、前記アクティブＳＭＦとの前記シグナリング相互作用を確立する前記ＮＦ上のＳＭＦ情報を更新することは、
前記スタンバイＳＭＦによって、前記ＵＥのコンテキスト情報に従って、前記アクティブＳＭＦとの前記シグナリング相互作用を確立するＮＦ置換要求を各ＵＰＦに送信し、前記ＵＰＦ上の前記ＳＭＦ情報を更新することであって、前記ＮＦ置換要求は、ＳＭＦ置換インジケーションと、前記アクティブＳＭＦについての情報とを備える、こと、
前記スタンバイＳＭＦによって、前記ＵＥのコンテキスト情報に従って、前記アクティブＳＭＦとの前記シグナリング相互作用を確立するＮＦ置換要求を各ＵＤＭに送信し、前記ＵＤＭ上の前記ＳＭＦ情報を更新することであって、前記ＮＦ置換要求は、ＳＭＦ置換インジケーションと、前記アクティブＳＭＦについての情報とを備える、こと、
前記スタンバイＳＭＦによって、前記ＵＥのコンテキスト情報に従って、前記アクティブＳＭＦとの前記シグナリング相互作用を確立するＮＦ置換要求を各ＡＭＦに送信し、前記ＡＭＦ上の前記ＳＭＦ情報を更新することであって、前記ＮＦ置換要求は、ＳＭＦ置換インジケーションと、前記アクティブＳＭＦについての情報とを備える、こと、または
前記スタンバイＳＭＦによって、前記ＵＥのコンテキスト情報に従って、前記アクティブＳＭＦとの前記シグナリング相互作用を確立するＮＦ置換要求を各ＰＣＦに送信し、前記ＰＣＦ上の前記ＳＭＦ情報を更新することであって、前記ＮＦ置換要求は、ＳＭＦ置換インジケーションと、前記アクティブＳＭＦについての情報とを備える、こと
のうちの少なくとも１つを含む、請求項１７に記載のＵＥ移行方法。
【請求項２０】
前記スタンバイＳＭＦによって、単一のＵＥのユニット内の前記ＵＥのコンテキスト情報に従って、前記ＰＤＵセッションを更新することは、
前記スタンバイＳＭＦによって、前記ＵＥのコンテキスト情報に従って、Ｎ１／Ｎ２メッセージ転送要求をＡＭＦに送信することであって、前記Ｎ１／Ｎ２メッセージ転送要求は、前記ＡＭＦがＰＤＵセッション更新要求を前記ＵＥに送信し、前記ＰＤＵセッションを更新するように、ＰＤＵセッション更新要求を備える、こと
を含む、請求項１７に記載のＵＥ移行方法。
【請求項２１】
ユーザ機器（ＵＥ）移行方法であって、
ネットワーク機能（ＮＦ）によって、前記ＮＦとアクティブセッション管理機能（ＳＭＦ）との間のリンク状態を入手することであって、前記ＮＦは、前記アクティブＳＭＦとのシグナリング相互作用を確立するＮＦである、ことと、
前記ＮＦによって、前記アクティブＳＭＦが機能しなくなることを決定することに応答して、ＳＭＦ障害通知メッセージをスタンバイＳＭＦに送信することと、
前記スタンバイＳＭＦによって、前記ＳＭＦ障害通知メッセージを受信することに応答して、前記アクティブＳＭＦ上のＵＥを前記スタンバイＳＭＦに移行させることと
を含む、ＵＥ移行方法。
【請求項２２】
セッション管理機能（ＳＭＦ）とのシグナリング相互作用を有するネットワーク機能（ＮＦ）に適用されるユーザ機器（ＵＥ）移行装置であって、
前記ＮＦとアクティブＳＭＦとの間のリンク状態を入手するように構成される入手モジュールと、
前記アクティブＳＭＦが機能しなくなることを決定することに応答して、ＳＭＦ障害通知メッセージをスタンバイＳＭＦに送信するように構成される送信モジュールであって、前記ＳＭＦ障害通知メッセージは、前記アクティブＳＭＦ上のＵＥを前記スタンバイＳＭＦに移行させるように前記スタンバイＳＭＦをトリガするために使用される、送信モジュールと
を備える、ＵＥ移行装置。
【請求項２３】
スタンバイセッション管理機能（ＳＭＦ）に適用されるユーザ機器（ＵＥ）移行装置であって、
アクティブＳＭＦが機能しなくなることをネットワーク機能（ＮＦ）が決定することに応答して、前記ＮＦによって送信されるＳＭＦ障害通知メッセージを受信するように構成される受信モジュールであって、前記ＮＦは、前記アクティブＳＭＦとのシグナリング相互作用を確立するＮＦである、受信モジュールと、
前記アクティブＳＭＦ上のＵＥを前記スタンバイＳＭＦに移行させるように構成される移行モジュールと
を備える、ＵＥ移行装置。
【請求項２４】
ネットワーク機能（ＮＦ）と、スタンバイセッション管理機能（ＳＭＦ）とを備えるユーザ機器（ＵＥ）移行システムであって、前記ＮＦは、ＳＭＦとのシグナリング相互作用を確立するＮＦであり、
前記ＮＦは、前記ＮＦとアクティブＳＭＦとの間のリンク状態を入手し、前記アクティブＳＭＦが機能しなくなることを決定することに応答して、ＳＭＦ障害通知メッセージを前記スタンバイＳＭＦに送信するように構成され、前記ＳＭＦ障害通知メッセージは、前記アクティブＳＭＦ上のＵＥを前記スタンバイＳＭＦに移行させるように前記スタンバイＳＭＦをトリガするために使用され、
前記スタンバイＳＭＦは、前記アクティブＳＭＦが機能しなくなることを前記ＮＦが決定することに応答して、前記ＮＦによって送信される前記ＳＭＦ障害通知メッセージを受信し、前記アクティブＳＭＦ上のＵＥを前記スタンバイＳＭＦに移行させるように構成される、ＵＥ移行システム。
【請求項２５】
第１のプロセッサと、第１のメモリと、第１の通信バスとを備える、ネットワーク機能（ＮＦ）であって、
前記第１の通信バスは、前記第１のプロセッサと前記第１のメモリとの間の接続および通信を実装するように構成され、
前記第１のプロセッサは、前記第１のメモリ内に記憶された少なくとも１つのプログラムを実行し、請求項１−１０のいずれか１項に記載のユーザ機器（ＵＥ）移行方法を実装するように構成される、ＮＦ。
【請求項２６】
第２のプロセッサと、第２のメモリと、第２の通信バスとを備える、スタンバイセッション管理機能（ＳＭＦ）であって、
前記第２の通信バスは、前記第２のプロセッサと前記第２のメモリとの間の接続および通信を実装するように構成され、
前記第２のプロセッサは、前記第２のメモリ内に記憶された少なくとも１つのプログラムを実行し、請求項１１−２０のいずれか１項に記載のユーザ機器（ＵＥ）移行方法を実装するように構成される、ＳＭＦ。
【請求項２７】
第３のプロセッサと、第３のメモリと、第３の通信バスとを備える、ユーザ機器（ＵＥ）移行システムであって、
前記第３の通信バスは、前記第３のプロセッサと前記第３のメモリとの間の接続および通信を実装するように構成され、
前記第３のプロセッサは、前記第３のメモリ内に記憶された少なくとも１つのプログラムを実行し、請求項２１に記載のユーザ機器（ＵＥ）移行方法を実装するように構成される、ＵＥ移行システム。
【請求項２８】
少なくとも１つのプログラムを記憶するコンピュータ可読記憶媒体であって、前記少なくとも１つのプログラムは、請求項１−１０のいずれか１項に記載のユーザ機器（ＵＥ）移行方法、請求項１１−２０のいずれか１項に記載のＵＥ移行方法、または請求項２１に記載のＵＥ移行方法のうちの少なくとも１つを実装するように、少なくとも１つのプロセッサによって実行可能である、コンピュータ可読記憶媒体。
【発明の詳細な説明】
【技術分野】
【０００１】
本願は、その開示が参照することによってその全体として本明細書に組み込まれる、２０１８年９月２７日にＣＮＩＰＡに出願された、中国特許出願第２０１８１１１３４２２４．６号の優先権を主張する。
【０００２】
本願は、限定ではないが、通信の分野に関し、例えば、限定ではないが、ＵＥ移行方法、装置、およびシステム、ならびに記憶媒体に関する。
【背景技術】
【０００３】
第３世代パートナーシッププロジェクト（３ＧＰＰ）は、現在、第５世代（５Ｇ）システムについての研究を行っている。３ＧＰＰ規格ワーキンググループによって定義されるように、５Ｇシステムは、無線サブシステム、５Ｇ無線アクセスネットワーク（５Ｇ  ＲＡＮ）システム、および５Ｇコアネットワークサブシステム、５Ｇコアネットワーク（５ＧＣ）を含む。
【０００４】
図１は、５Ｇシステムがいくつかのネットワーク機能（ＮＦ）から成る、５Ｇシステムのアーキテクチャの略図である。５Ｇ無線サブシステムは、主に、新規無線（ＮＲ）基地局を含む。５Ｇコアネットワークサブシステムは、主に、統一データ管理（ＵＤＭ）機能と、アクセスおよびモビリティ管理機能（ＡＭＦ）と、セッション管理機能（ＳＭＦ）と、ユーザプレーン機能（ＵＰＦ）と、ポリシ制御機能（ＰＣＦ）とを含む。ＵＤＭ機能は、サブスクライバサブスクリプションデータのための恒久記憶装置であり、サブスクライバサブスクリプションのためにホームネットワークに位置する。ＡＭＦは、ユーザがネットワークにアクセスするための要件を管理し、端末からネットワークの非アクセス層（ＮＡＳ）へのシグナリングの管理、ユーザモビリティ管理、および他の機能に関与する。セッション管理機能（ＳＭＦ）は、パケットデータユニット（ＰＤＵ）セッションおよびユーザのサービス品質（ＱｏＳ）フローを管理し、ＵＰＦのためのパケット検出および転送ルール、ならびに同等物を策定する。ＵＰＦは、ＩＰデータおよび非ＩＰデータのルーティングならびに転送、使用量報告、および同等物に関与する。
【０００５】
ＰＣＦは、ＡＭＦおよびＳＭＦのための種々のレベルにおけるポリシルールを提供する。
【０００６】
データネットワーク（ＤＮ）は、例えば、オペレータサービス、ネットワークアクセス、または第三者サービスである。
【０００７】
アプリケーション機能（ＡＦ）が、ＡＦセッションを管理する。
【０００８】
関連技術分野では、あるＮＦ、特に、ＳＭＦの現在の障害は、対応するＰＤＵセッションの障害、およびＵＥのアップリンクならびにダウンリンクデータを正常に伝送することができないことを直接もたらすであろう。この場合、ＵＥが、アップリンクデータの伝送を開始するときのみ、ＳＭＦの障害が、検出されることができ、ＰＤＵセッションが、復旧されることができる。しかしながら、ダウンリンクデータが、ＳＭＦの障害時にＵＥに送信される場合、ＰＤＵの復旧は、トリガされることができず、ダウンリンクデータの配信は、失敗するであろう。
【発明の概要】
【発明が解決しようとする課題】
【０００９】
本願の実施形態は、関連技術分野において、ＳＭＦの障害が、ＰＤＵセッションの障害、およびＵＥのアップリンクならびにダウンリンクデータを正常に伝送することができないことをもたらす場合を回避し得る、ＵＥ移行方法、装置、およびシステム、ならびに記憶媒体を提供する。
【課題を解決するための手段】
【００１０】
本願の実施形態は、下記に説明されるステップを含む、ＵＥ移行方法を提供する。ネットワーク機能（ＮＦ）が、ＮＦとアクティブセッション管理機能（ＳＭＦ）との間のリンク状態を入手し、ＮＦは、アクティブＳＭＦとのシグナリング相互作用を確立するＮＦである。ＮＦは、アクティブＳＭＦが機能しなくなることを決定するステップに応答して、ＳＭＦ障害通知メッセージをスタンバイＳＭＦに送信し、ＳＭＦ障害通知メッセージは、アクティブＳＭＦ上のＵＥをスタンバイＳＭＦに移行させるようにスタンバイＳＭＦをトリガするために使用される。
【００１１】
本願の実施形態はさらに、下記に説明されるステップを含む、ＵＥ移行方法を提供する。スタンバイＳＭＦが、アクティブＳＭＦが機能しなくなることをＮＦが決定するステップに応答して、ＮＦによって送信されるＳＭＦ障害通知メッセージを受信し、ＮＦは、アクティブＳＭＦとのシグナリング相互作用を確立するＮＦである。スタンバイＳＭＦは、アクティブＳＭＦ上のＵＥをスタンバイＳＭＦに移行させる。
【００１２】
本願の実施形態はさらに、下記に説明されるステップを含む、ＵＥ移行方法を提供する。ＮＦが、ＮＦとアクティブＳＭＦとの間のリンク状態を入手し、ＮＦは、アクティブＳＭＦとのシグナリング相互作用を確立するＮＦである。ＮＦは、アクティブＳＭＦが機能しなくなることを決定するステップに応答して、ＳＭＦ障害通知メッセージをスタンバイＳＭＦに送信する。スタンバイＳＭＦは、ＳＭＦ障害通知メッセージを受信するステップに応答して、アクティブＳＭＦ上のＵＥをスタンバイＳＭＦに移行させる。
【００１３】
本願の実施形態はさらに、ＳＭＦとのシグナリング相互作用を有するＮＦに適用され、入手モジュールと、送信モジュールとを含む、ユーザ機器（ＵＥ）移行装置を提供する。入手モジュールは、ＮＦとアクティブＳＭＦとの間のリンク状態を入手するように構成される。送信モジュールは、アクティブＳＭＦが機能しなくなることを決定するステップに応答して、ＳＭＦ障害通知メッセージをスタンバイＳＭＦに送信するように構成され、ＳＭＦ障害通知メッセージは、アクティブＳＭＦ上のＵＥをスタンバイＳＭＦに移行させるようにスタンバイＳＭＦをトリガするために使用される。
【００１４】
本願の実施形態はさらに、スタンバイＳＭＦに適用され、受信モジュールと、移行モジュールとを含む、ユーザ機器（ＵＥ）移行装置を提供する。受信モジュールは、アクティブＳＭＦが機能しなくなることをＮＦが決定するステップに応答して、ＮＦによって送信されるＳＭＦ障害通知メッセージを受信するように構成され、ＮＦは、アクティブＳＭＦとのシグナリング相互作用を確立するＮＦである。移行モジュールは、アクティブＳＭＦ上のＵＥをスタンバイＳＭＦに移行させるように構成される。
【００１５】
本願の実施形態はさらに、ＮＦと、スタンバイＳＭＦとを含む、ユーザ機器（ＵＥ）移行システムを提供する。ＮＦは、ＳＭＦとのシグナリング相互作用を有するＮＦである。ＮＦは、ＮＦとアクティブＳＭＦとの間のリンク状態を入手し、アクティブＳＭＦが機能しなくなることを決定するステップに応答して、ＳＭＦ障害通知メッセージをスタンバイＳＭＦに送信するように構成され、ＳＭＦ障害通知メッセージは、アクティブＳＭＦ上のＵＥをスタンバイＳＭＦに移行させるようにスタンバイＳＭＦをトリガするために使用される。スタンバイＳＭＦは、アクティブＳＭＦが機能しなくなることをＮＦが決定するステップに応答して、ＮＦによって送信されるＳＭＦ障害通知メッセージを受信し、アクティブＳＭＦ上のＵＥをスタンバイＳＭＦに移行させるように構成される。
【００１６】
本願の実施形態はさらに、第１のプロセッサと、第１のメモリと、第１の通信バスとを含む、ＮＦを提供する。第１の通信バスは、第１のプロセッサと第１のメモリとの間の接続および通信を実装するように構成される。第１のプロセッサは、第１のメモリ内に記憶された１つ以上のプログラムを実行し、ＮＦに適用される前述のＵＥ移行方法のステップを実装するように構成される。
【００１７】
本願の実施形態はさらに、第２のプロセッサと、第２のメモリと、第２の通信バスとを含む、スタンバイＳＭＦを提供する。第２の通信バスは、第２のプロセッサと第２のメモリとの間の接続および通信を実装するように構成される。第２のプロセッサは、第２のメモリ内に記憶された１つ以上のプログラムを実行し、スタンバイＳＭＦに適用される前述のＵＥ移行方法のステップを実装するように構成される。
【００１８】
本願の実施形態はさらに、第３のプロセッサと、第３のメモリと、第３の通信バスとを含む、ユーザ機器（ＵＥ）移行システムを提供する。第３の通信バスは、第３のプロセッサと第３のメモリとの間の接続および通信を実装するように構成される。第３のプロセッサは、第３のメモリ内に記憶された１つ以上のプログラムを実行し、システムに適用される前述のＵＥ移行方法のステップを実装するように構成される。
【００１９】
本願の実施形態はさらに、１つ以上のプログラムを記憶するコンピュータ可読記憶媒体を提供し、１つ以上のプログラムは、前述のＵＥ移行方法のうちのいずれか１つのステップを実装するように、１つ以上のプロセッサによって実行可能である。
【図面の簡単な説明】
【００２０】
【図１】図１は、関連技術分野内の５Ｇシステムのアーキテクチャの略図である。
【図２】図２は、本願による、ＵＤＳＦが異なるタイプのＮＦのステートレス設計をサポートすることを図示する、概略図である。
【図３】図３は、ＵＥが関連技術分野内の５Ｇネットワークに登録することを図示するフローチャートである。
【図４】図４は、ＵＥが関連技術分野内の５Ｇネットワークに登録した後にＰＤＵセッション確立を開始することを図示する、フローチャートである。
【図５】図５は、本願の実施形態１による、ＮＦに適用されるＵＥ移行方法のフローチャートである。
【図６】図６は、本願の実施形態１による、ＵＰＦがハートビートを通してＵＰＦとアクティブＳＭＦとの間のリンク状態を入手することを図示する、フローチャートである。
【図７】図７は、本願の実施形態１による、非ＵＰＦ  ＮＦがハートビートを通して非ＵＰＦ  ＮＦとアクティブＳＭＦとの間のリンク状態を入手することを図示する、フローチャートである。
【図８】図８は、本願の実施形態１による、ＵＰＦがスタンバイＳＭＦについての情報を入手することを図示する、フローチャートである。
【図９】図９は、本願の実施形態１による、ＮＦがスタンバイＳＭＦについての情報を入手することを図示する、フローチャートである。
【図１０】図１０は、本願の実施形態２による、スタンバイＳＭＦに適用されるＵＥ移行方法のフローチャートである。
【図１１】図１１は、本願の実施形態２による、アクティブＳＭＦが機能しなくなることを把握した後に、ＮＦがＵＥを移行させるようにスタンバイＳＭＦをトリガすることを図示する、フローチャートである。
【図１２】図１２は、本願の実施形態２による、アクティブＳＭＦが機能しなくなることを把握した後に、ＮＦがＵＥを移行させるようにスタンバイＳＭＦをトリガすることを図示する、別のフローチャートである。
【図１３】図１３は、本願の実施形態２による、アクティブＳＭＦが機能しなくなることを把握した後に、ＮＦがＵＥを移行させるようにスタンバイＳＭＦをトリガすることを図示する、別のフローチャートである。
【図１４】図１４は、本願の実施形態３による、システムに適用されるＵＥ移行方法のフローチャートである。
【図１５】図１５は、本願の実施形態４による、ＵＥ移行システムの構造図である。
【図１６】図１６は、本願の実施形態４による、ＮＦに適用されるＵＥ移行装置の構造図である。
【図１７】図１７は、本願の実施形態４による、スタンバイＳＭＦに適用されるＵＥ移行装置の構造図である。
【図１８】図１８は、本願の実施形態５による、ＮＦの構造図である。
【図１９】図１９は、本願の実施形態５による、スタンバイＳＭＦの構造図である。
【図２０】図２０は、本願の実施形態５による、ＵＥ移行システムの構造図である。
【発明を実施するための形態】
【００２１】
関連技術分野では、５Ｇネットワークが、ＮＦのステートレス設計をサポートする。ステートレス設計は、ＡＭＦ等のＵＥにサービス提供する同一のタイプのＮＦが、２つの前および後のプロセスにおいて置換され得ることを意味する。ＮＦが置換された後に、プロセスが正常に実行され得ることを確実にするために、ＵＥのコンテキスト情報が、非構造化データ記憶機能（ＵＤＳＦ）上に記憶される必要がある。さらに、ＡＭＦ等の同一のタイプのＮＦは、ＵＤＳＦ上のＵＥのコンテキスト情報に相互にアクセスすることができることを保証される。異なるタイプのＮＦは、原則として、ＵＤＳＦ上のＵＥのコンテキスト情報に相互にアクセスすることができない。図２は、ＵＤＳＦが、ＡＭＦ、ＳＭＦ、ＵＤＭ、およびＰＣＦ等の異なるタイプのＮＦのステートレス設計をサポートすることを図示する、概略図である。異なるタイプのＮＦが、異なるインターフェースを介して、ＵＤＳＦ上のＵＥのコンテキストにアクセスする。
【００２２】
ＮＦのステートレス設計に基づいて、ある能力が、提供される。あるＮＦが機能しなくなるとき、同一のタイプのＮＦが、ＵＤＳＦ上のＵＥのコンテキストに基づいて、機能しなくなったＮＦのプロセスを引き継ぐことができる。
【００２３】
しかしながら、標準化されたソリューションが、ＮＦ障害時のＮＦ切替のために、特に、基本的に具体的製品の実装に依存する、ＳＭＦが機能しなくなった後の別のＳＭＦへのＵＥのＰＤＵセッションの移行のために、提案されていない。例えば、交換可能であるアクティブおよびスタンバイＮＦが、相互を検出し、ＵＥのＰＤＵセッションの移行を開始する。したがって、ＳＭＦが機能しなくなるときに、機能しなくなったＳＭＦ上のＵＥを移行させるための方法が、緊急に必要とされる。
【００２４】
関連技術分野では、ＵＥが、５Ｇネットワークに登録し、５ＧネットワークへのＰＤＵセッション確立に関連するプロセスを開始することに留意されたい。これらのプロセスを通して、ＵＥは、５Ｇネットワークからパケットデータサービスを取得することができる。
【００２５】
図３は、ＵＥが５Ｇネットワークに登録することを図示するフローチャートである。プロセスは、ステップ３０１−３１４を含む。
【００２６】
ステップ３０１では、ＵＥが、登録要求をｇＮＢに送信する。
【００２７】
ステップ３０２では、ｇＮＢが、条件に基づいて、適切なＡＭＦを選択する。
【００２８】
ステップ３０３では、ｇＮＢが、ＵＥの登録要求をＡＭＦに転送する。
【００２９】
ステップ３０４では、ＵＥが、サブスクリプション掩蔽識別子（ＳＵＣＩ）を提供しない場合、ＡＭＦが、識別要求をＵＥに送信する。
【００３０】
ステップ３０５では、ＵＥが、識別要求に応答して、要求されたＳＵＣＩをＡＭＦに返す。
【００３１】
ステップ３０６では、ＡＭＦが、ＵＥが認証動作を実施するための適切な認証サーバ機能（ＡＵＳＦ）を選択する。
【００３２】
ステップ３０７では、ＡＵＳＦが、ＵＥの識別認定および認証プロセスを開始する。
【００３３】
ステップ３０８では、ＡＭＦが、ＵＥのための適切なＵＤＭを選択する。
【００３４】
ステップ３０９では、ＡＭＦが、ＵＤＭへのＡＭＦ登録を開始し、ＵＤＭが、ＡＭＦ登録を受信し、ＵＥにサービス提供するＡＭＦについての情報を登録する。
【００３５】
ステップ３１０では、ＡＭＦが、サブスクリプション要求をＵＤＭに送信し、ＵＥのモビリティ管理に関連するサブスクリプションを入手する。ＵＤＭは、ＡＭＦから要求を受信し、関連サブスクリプションデータをＡＭＦに送信する。
【００３６】
ステップ３１１では、ＡＭＦが、ＵＥのための適切なＰＣＦを選択する。
【００３７】
ステップ３１２では、ＡＭＦが、モビリティポリシ要求をＰＣＦに送信し、ＰＣＦが、ＡＭＦから要求を受信し、モビリティポリシデータ（ＡＭポリシ）をＡＭＦに返す。
【００３８】
ステップ３１３では、ＡＭＦが、登録容認応答（登録容認）をＵＥに返す。
【００３９】
ステップ３１４では、ＡＭＦから登録容認応答を受信した後、ＵＥが、登録完了メッセージ（登録完了）をＡＭＦに送信する。
【００４０】
加えて、ＵＥが５Ｇネットワークに正常に登録した後、ＵＥは、ＰＤＵセッション確立を開始してもよい。図４は、ＵＥが５Ｇネットワークに登録した後にＰＤＵセッション確立を開始することを図示する、フローチャートである。プロセスは、ステップ４０１−４１６を含む。
【００４１】
ステップ４０１では、ＵＥが、ＰＤＵセッション確立要求をＡＭＦに送信する。
【００４２】
ステップ４０２では、ＡＭＦが、ＵＥからのＰＤＵセッション確立要求、例えば、ＵＥによって要求されるデータネットワーク名（ＤＮＮ）に従って、ＵＥのための適切なＳＭＦを選択する。
【００４３】
ステップ４０３では、ＡＭＦが、ＳＭコンテキスト作成要求（ＳＭコンテキスト作成要求）をＳＭＦに送信する。
【００４４】
ステップ４０４では、ＳＭＦが、ＵＤＭへのセッションサブスクリプションデータ入手プロセスを開始し、ＵＤＭが、ＵＥのセッションサブスクリプションデータをＳＭＦに返す。
【００４５】
ステップ４０５では、ＳＭＦが、ＳＭコンテキスト作成応答（ＳＭコンテキスト作成応答）をＡＭＦに返す。
【００４６】
ステップ４０６では、ＳＭＦが、適切なＰＣＦを選択する。ＡＭＦが、前述のステップにおいてＡＭＦによって選択されるＰＣＦを提供する場合、ＳＭＦは、ＰＣＦを使用する。
【００４７】
ステップ４０７では、ＳＭＦが、セッションポリシ要求をＰＣＦに送信し、ＰＣＦは、ＳＭＦから要求を受信し、セッションポリシデータ（ＳＭポリシ）をＳＭＦに返す。
【００４８】
ステップ４０８では、ＳＭＦが、ＤＮＮおよびＵＥの位置等の情報に基づいて、適切なＵＰＦを選択する。
【００４９】
ステップ４０９では、ＳＭＦが、Ｎ４セッション確立要求をＵＰＦに送信し、ＵＰＦが、ＳＭＦからの要求に応答して、Ｎ４セッションを確立し、Ｎ４セッション確立応答をＳＭＦに返す。
【００５０】
ステップ４１０では、Ｎ４セッションが正常に確立された後、ＳＭＦが、Ｎ１／Ｎ２メッセージ転送要求（Ｎ１／Ｎ２メッセージ転送）をＡＭＦに送信し、Ｎ１／Ｎ２メッセージ転送要求は、作成されたＱｏＳフローのリストおよびＵＰＦによって配分されるアップリンクＦ−ＴＥＩＤ等のＰＤＵセッションのコンテキスト情報を搬送する。
【００５１】
ステップ４１１では、ＡＭＦが、Ｎ２  ＰＤＵセッション要求メッセージをｇＮＢに送信し、メッセージは、ＡＭＦによってＵＥに送信されるべきＮＡＳメッセージを搬送し、非アクセス層（ＮＡＳ）メッセージは、ＵＥに送信されるべきＰＤＵセッションの部分コンテキスト情報を含む。
【００５２】
ステップ４１２では、ｇＮＢが、無線リソース設定（ＡＮリソース設定）要求をＵＥに送信し、ＡＭＦによって提供されるＰＤＵセッションについての情報に従って、ＵＥのための適切な無線ベアラを設定する。
【００５３】
ステップ４１３では、無線リソースが設定された後、ｇＮＢが、Ｎ２  ＰＤＵセッションＡＣＫメッセージをＡＭＦに返し、メッセージは、ｇＮＢのＦ−ＴＥＩＤ等のｇＮＢによって配分されるＮ３インターフェースリソースを搬送する。
【００５４】
ステップ４１４では、ＡＭＦが、ＳＭコンテキスト更新要求（ＳＭコンテキスト更新要求）をＳＭＦに送信し、Ｎ３インターフェース上のＵＰＦの遠隔Ｆ−ＴＥＩＤ、すなわち、ＵＰＦ上のｇＮＢのＦ−ＴＥＩＤを更新する。
【００５５】
ステップ４１５では、ＳＭＦが、Ｎ４セッション更新要求をＵＰＦに送信し、Ｎ３インターフェース上のｇＮＢのＦ−ＴＥＩＤを更新し、ＵＰＦが、Ｎ４セッション更新応答をＳＭＦに返す。
【００５６】
ステップ４１６では、ＳＭＦが、ＳＭコンテキスト更新応答（ＳＭコンテキスト更新応答）をＡＭＦに返す。
【００５７】
本願の実施形態が、図面と併せて具体的実装を通して、詳細に下記にさらに説明される。本明細書に説明される実施形態は、本願を限定せず、本願を説明することのみを意図していることを理解されたい。
【００５８】
（実施形態１）
関連技術分野において、ＳＭＦの障害が、ＰＤＵセッションの障害およびＵＥのアップリンクならびにダウンリンクデータの伝送障害をもたらす場合を回避するために、本願の実施形態は、ユーザ機器（ＵＥ）移行方法を提供する。本実施形態によって提供されるＵＥ移行方法は、ネットワーク機能（ＮＦ）に適用され、図５に示されるように、ステップＳ５０１およびＳ５０２を含む。
【００５９】
ステップＳ５０１では、ＮＦが、ＮＦとアクティブＳＭＦとの間のリンク状態を入手し、ＮＦは、ＳＭＦとのシグナリング相互作用を確立するＮＦである。
【００６０】
メッセージフローにおける相互作用のための要件に起因して、ＮＦおよびＳＭＦは、メッセージフローにおいて相互作用を有する。ＮＦのタイプは、ＡＭＦ、ＵＤＭ、ＵＰＦ、およびＰＣＦ等の非ＳＭＦ  ＮＦを含む。アクティブＳＭＦは、ＮＦとのシグナリング相互作用を有する、現在のＳＭＦである。本実施形態では、ＮＦとアクティブＳＭＦとの間のリンク状態が、検出され、リンクが破損しているかどうかを入手することによって、アクティブＳＭＦが機能しなくなるかどうかが決定される。
【００６１】
本実施形態のいくつかの実装では、ＮＦは、ユーザプレーン機能（ＵＰＦ）である。この場合、ＵＰＦがＵＰＦとアクティブＳＭＦとの間のリンク状態を入手する様式は、限定ではないが、下記に説明される２つの様式を含む。
【００６２】
様式１では、ＵＰＦは、Ｎ４シグナリングメッセージをアクティブＳＭＦに送信するときに、Ｎ４シグナリング送信状態を検出することによって、ＵＰＦとアクティブＳＭＦとの間のリンク状態を入手する。ＵＰＦによってＳＭＦに送信されるＮ４シグナリングメッセージは、例えば、ダウンリンクデータ着信通知である。ＵＥは、シグナリングを送信することができないことに応答して、リンクが破損していることを知覚し得る。
【００６３】
様式２では、ＵＰＦは、アクティブＳＭＦとのＮ４関連付けが設定された後に、ＵＰＦとアクティブＳＭＦとの間のハートビートを検出することによって、ＵＰＦとアクティブＳＭＦとの間のリンク状態を入手する。ハートビート等のキープアライブ機構が、リンク検出のためにＵＰＦとＳＭＦとの間に存在する、すなわち、検出メッセージが、リンク状態を決定するように、周期的に送信される。
【００６４】
図６は、本実施形態による、ＵＰＦがハートビートを通してＵＰＦとアクティブＳＭＦとの間のリンク状態を入手することを図示する、フローチャートである。プロセスは、ステップ６０１−６１２を含む。
【００６５】
ステップ６０１では、ＡＭＦが、ＰＤＵセッション確立要求を受信する。
【００６６】
ＰＤＵセッション確立要求は、ＵＥからであってもよい。
【００６７】
ステップ６０２では、ＡＭＦが、ＵＥのためのアクティブＳＭＦとして適切なＳＭＦを選択し、ＳＭコンテキスト作成要求をアクティブＳＭＦに送信する。
【００６８】
ステップ６０３では、アクティブＳＭＦが、ＳＭコンテキスト作成応答をＡＭＦに返す。
【００６９】
ステップ６０４では、アクティブＳＭＦが、適切なＵＰＦを選択する。
【００７０】
ステップ６０５では、アクティブＳＭＦが、Ｎ４関連付け確立要求をＵＰＦに送信し、アクティブＳＭＦとＵＰＦとの間に関連付けを確立する。
【００７１】
本実施形態のいくつかの実装では、Ｎ４関連付け確立要求は、ＳＭＦインスタンス識別子（ＩＤ）を含んでもよい。
【００７２】
ステップ６０６では、ＵＰＦが、Ｎ４関連付け確立要求を受信し、アクティブＳＭＦとのＮ４関連付けを設定し、Ｎ４関連付け確立応答を返す。
【００７３】
ステップ６０７では、アクティブＳＭＦが、ＵＥのためのＮ４セッションを確立するためにＮ４セッション確立要求をＵＰＦに送信する。
【００７４】
本実施形態のいくつかの実装では、Ｎ４セッション確立要求は、ＳＭＦインスタンスＩＤを含んでもよい。
【００７５】
アクティブＳＭＦは、ここでは一意に限定されない、ＵＰＦとのＮ４関連付けを設定するとき、またはＵＰＦとのＮ４セッションを確立するときに、ＵＰＦにその独自のＳＭＦインスタンスＩＤを提供し得ることに留意されたい。
【００７６】
加えて、本実施形態のいくつかの実装では、Ｎ４セッション確立要求はまた、接続セットＩＤ（ＣＳＩＤ）を含んでもよい。ＣＳＩＤは、障害時に別のＳＭＦによって引き継がれ得る、いくつかのＵＥのいくつかのＮ４セッションを関連付け得る。
【００７７】
ステップ６０８では、Ｎ４セッションを確立した後、ＵＰＦが、Ｎ４セッション確立応答をアクティブＳＭＦに返す。
【００７８】
ステップ６０９では、アクティブＳＭＦが、ＰＤＵセッションを確立し続ける。
【００７９】
ＰＤＵセッションを確立するための後続のプロセスは、以下のステップを含む、すなわち、アクティブＳＭＦが、Ｎ１／Ｎ２メッセージ転送要求をＡＭＦに送信する、ＡＭＦが、Ｎ２  ＰＤＵセッション要求をｇＮＢに送信する、ｇＮＢが、ＡＮリソース設定要求をＵＥに送信する、無線リソースを設定した後、ｇＮＢが、Ｎ２  ＰＤＵセッションＡＣＫメッセージをＡＭＦに返す、ＡＭＦが、ＳＭコンテキスト更新要求をアクティブＳＭＦに送信する、アクティブＳＭＦが、Ｎ４セッション更新要求をアクティブＳＭＦに送信する、アクティブＳＭＦが、ＳＭコンテキスト更新応答をＡＭＦに返す。
【００８０】
ステップ６１０では、ハートビートが、Ｎ４関連付けがアクティブＳＭＦとＵＰＦとの間に設定された後に、アクティブＳＭＦとＵＰＦとの間で周期的に開始される。
【００８１】
アクティブＳＭＦとＵＰＦとの間のハートビートは、アクティブＳＭＦがＮ４ハートビート要求をＵＰＦに送信し、ＵＰＦがＮ４ハートビート応答を返すこと、またはＵＰＦがＮ４ハートビート要求をアクティブＳＭＦに送信し、アクティブＳＭＦがＮ４ハートビート応答を返すことであってもよい。加えて、アクティブＳＭＦとＵＰＦとの間のハートビートは、Ｎ４関連付けが確立されるステップ６０６の後の任意のステップにおいて実施され得、ＰＤＵセッションが確立されるステップ６０９の後のステップのみに限定されないことに留意されたい。
【００８２】
ステップ６１１では、アクティブＳＭＦが、機能しなくなるとき、アクティブＳＭＦは、ＵＰＦからのハートビート要求に応答することができない。
【００８３】
ステップ６１２では、ＵＰＦが、アクティブＳＭＦとのリンクが破損していることを決定する。
【００８４】
アクティブＳＭＦの障害に応答して、ＵＰＦとアクティブＳＭＦとの間のハートビートが、機能しなくなる。ハートビートが複数回機能しなくなった後、ＵＰＦは、その間のリンクが破損していることを決定し、アクティブＳＭＦが機能しなくなることを決定し得る。
【００８５】
加えて、本実施形態の他の実装では、ＮＦは、非ＵＰＦ  ＮＦである、すなわち、ＮＦは、ＡＭＦ、ＰＣＦ、ＵＤＭ、または同等物である。非ＵＰＦ  ＮＦは、アクティブＳＭＦとのシグナリング相互作用が確立された後に、非ＵＰＦ  ＮＦとアクティブＳＭＦとの間のハートビートまたはシグナリング相互作用応答の状況に従って、非ＵＰＦ  ＮＦとアクティブＳＭＦとの間のリンク状態を入手し、それによって、アクティブＳＭＦが機能しなくなるかどうかを決定する。図７は、本実施形態による、非ＵＰＦ  ＮＦがハートビートを通して非ＵＰＦ  ＮＦとアクティブＳＭＦとの間のリンク状態を入手することを図示する、フローチャートである。プロセスは、ステップ７０１−７０６を含む。
【００８６】
ステップ７０１では、非ＵＰＦ  ＮＦおよびアクティブＳＭＦが、メッセージフローにおいて相互作用を有する。
【００８７】
メッセージフローにおける相互作用のための要件に起因して、ＡＭＦ、ＰＣＦ、およびＵＤＭ等のＳＭＦサービスの非ＵＰＦユーザは、メッセージフローにおいてＳＭＦと相互作用する。
【００８８】
ステップ７０２では、非ＵＰＦ  ＮＦが、ハートビート要求メッセージをアクティブＳＭＦに送信する。
【００８９】
ステップ７０３では、アクティブＳＭＦが、ハートビート応答メッセージを非ＵＰＦ  ＮＦ消費者に返す。
【００９０】
ステップ７０４では、非ＵＰＦ  ＮＦおよびアクティブＳＭＦが、依然として、フローにおいて相互作用するするとき、非ＵＰＦ  ＮＦは、ハートビート要求をアクティブＳＭＦに周期的に送信する。
【００９１】
ステップ７０５では、アクティブＳＭＦが、機能しなくなるとき、アクティブＳＭＦは、非ＵＰＦ  ＮＦからのハートビート要求に応答することができない。
【００９２】
ステップ７０６では、非ＵＰＦ  ＮＦとアクティブＳＭＦとの間のリンクが、破損している。
【００９３】
いくつかの実装では、非ＵＰＦ  ＮＦは、その間のリンクが破損していることを決定し、複数のハートビート要求が応答されなかった後に、アクティブＳＭＦが機能しなくなることを決定してもよい。
【００９４】
ステップ５０２では、ＮＦが、アクティブＳＭＦが機能しなくなることを決定するステップに応答して、ＳＭＦ障害通知メッセージをスタンバイＳＭＦに送信し、ＳＭＦ障害通知メッセージは、アクティブＳＭＦ上のＵＥをスタンバイＳＭＦに移行させるようにスタンバイＳＭＦをトリガするために使用される。
【００９５】
ＮＦが、アクティブＳＭＦが機能しなくなることを検出するとき、ＮＦは、ＳＭＦ障害通知メッセージをスタンバイＳＭＦに送信し、機能しなくなったＳＭＦに取って代わり、機能しなくなったＳＭＦ上のＵＥを引き継ぐようにスタンバイＳＭＦをトリガしてもよい。
【００９６】
ある実施形態では、ＳＭＦ障害通知メッセージがスタンバイＳＭＦに送信される前に、本方法はさらに、ＮＦが、スタンバイＳＭＦについての情報に従って、ＳＭＦ障害通知メッセージをスタンバイＳＭＦに送信するように、ＮＦが、アクティブＳＭＦのスタンバイＳＭＦについての情報を入手することを含む。スタンバイＳＭＦについての情報は、スタンバイＳＭＦのセット識別子、スタンバイＳＭＦのインスタンス識別子、スタンバイＳＭＦのＳＭＦ復旧のためのコールバックユニフォームリソース識別子（ＵＲＩ）、スタンバイＳＭＦのＮ４インターフェース情報、スタンバイＳＭＦのＳＭＦノード識別子、またはスタンバイＳＭＦの識別子とセグメントインデックスＩＤとの間の対応のうちの少なくとも１つを含む。
【００９７】
ＳＭＦセットＩＤが、同一の特性または類似特性を伴うＳＭＦのセットを識別するために使用され、同一のセットに属するＳＭＦは、相互のバックアップである。ＳＭＦセットＩＤは、アクティブＳＭＦのＳＭＦ構成パラメータにおいて設定されてもよく、次いで、ＮＲＦは、ＳＭＦセットＩＤに従って、スタンバイＳＭＦと同一のＳＭＦセットＩＤを伴う別のＳＭＦに関してクエリを行ってもよい。
【００９８】
ＳＭＦインスタンスＩＤが、規定ＳＭＦを一意に識別するために使用される。いくつかのスタンバイＳＭＦのＳＭＦインスタンスＩＤが、アクティブＳＭＦのＳＭＦ構成パラメータにおけるスタンバイＳＭＦについての情報の中で規定されてもよく、次いで、ＮＲＦは、スタンバイＳＭＦのＳＭＦインスタンスＩＤに従って、あるＳＭＦをスタンバイＳＭＦとして決定および選択してもよい。
【００９９】
スタンバイＳＭＦのＳＭＦ復旧のためのコールバックＵＲＩは、ＳＭＦ障害インジケーションを受信するためにスタンバイＳＭＦによって使用される。ＳＭＦ復旧のためのコールバックＵＲＩは、ＳＭＦ構成パラメータにおいて、またはＳＭＦ構成パラメータにおけるスタンバイＳＭＦについての情報において構成されてもよい。ＳＭＦ構成パラメータにおいて構成されるＳＭＦ復旧のためのコールバックＵＲＩは、ＳＭＦ自体のＳＭＦ復旧のためのコールバックＵＲＩを表す。ＳＭＦ構成パラメータにおけるスタンバイＳＭＦについての情報において構成されるＳＭＦ復旧のためのコールバックＵＲＩは、ＳＭＦのスタンバイＳＭＦがスタンバイＳＭＦについての情報におけるＳＭＦ復旧のためのコールバックＵＲＩを通して規定されることを表す。
【０１００】
スタンバイＳＭＦのＮ４インターフェース情報は、Ｎ４関連付けを設定するために使用され、Ｎ４関連付けのためのＩＰアドレスと、Ｎ４関連付けのためのポートとを含んでもよい。
【０１０１】
スタンバイＳＭＦの識別子とセグメントインデックスＩＤとの間の対応は、アクティブＳＭＦ上のＵＥコンテキスト情報がセグメント化およびインデックス化された後の対応するスタンバイＳＭＦを示すために使用される。あるＳＭＦが、障害の場合に、大量のデータをスタンバイＳＭＦに急に転送する必要があるときに、エラーが引き起こされ得ることを考慮して、ＳＭＦは、ＳＭＦによって記憶されたＵＥコンテキスト情報をセグメント化およびインデックス化し、インデックスＩＤを決定してもよく、インデックスＩＤは、情報の一部が１つのスタンバイＳＭＦに転送され、情報の別の部分が別のスタンバイＳＭＦに転送されることを示すために使用される。アクティブＳＭＦが、Ｎ４関連付け確立要求をＵＰＦに送信するとき、スタンバイＳＭＦの識別子とセグメントインデックスＩＤとの間の対応が、ＵＰＦに配信されるように搬送されてもよい。続いて、ＰＤＵセッションコンテキストが作成されるとき、アクティブＳＭＦは、対応するセグメントインデックスＩＤをＵＰＦに配信し、ＵＰＦは、復旧時の対応に従って、データが復旧されるスタンバイＭＦを決定してもよい。加えて、ＳＭＦ識別子は、ここでは、ＳＭＦインスタンスＩＤまたはＳＭＦノード識別子のうちの１つであってもよい。
【０１０２】
本実施形態のいくつかの実装では、ＵＰＦは、アクティブＳＭＦによって送信されるＮ４関連付け確立要求、Ｎ４関連付け更新要求、Ｎ４セッション確立要求、またはＮ４セッション更新要求を受信するときに、Ｎ４関連付け確立要求、Ｎ４関連付け更新要求、Ｎ４セッション確立要求、またはＮ４セッション更新要求内で搬送されるスタンバイＳＭＦについての情報を入手する。図８は、本実施形態による、ＵＰＦがスタンバイＳＭＦについての情報を入手することを図示する、フローチャートである。上記のいくつかの入手様式は、それぞれ、フローＡおよびＢによって図示される。フローＡおよびＢは、ステップＡ８０１、Ａ８０２、およびＢ８０１−Ｂ８０５を含む。
【０１０３】
フローＡは、Ｎ４インターフェースが確立されるときに、スタンバイＳＭＦについての情報が入手されることを図示する。
【０１０４】
ステップＡ８０１では、アクティブＳＭＦが、Ｎ４関連付け確立要求をＵＰＦに送信し、Ｎ４関連付け確立要求は、スタンバイＳＭＦについての情報を搬送する。
【０１０５】
ある実施形態では、本ステップにおいて、ＳＭＦはまた、ＳＭＦノードＩＤまたはＳＭＦインスタンスＩＤのうちの１つ、もしくはそれらの組み合わせであり得る、その独自の識別情報を搬送してもよい。
【０１０６】
ステップＡ８０２では、ＵＰＦは、ＳＭＦからＮ４関連付け確立要求を受信し、Ｎ４関連付け確立要求に従って、Ｎ４関連付け確立応答をＳＭＦに返す。
【０１０７】
ＵＰＦは、ＳＭＦからＮ４関連付け確立要求を受信しながら、スタンバイＳＭＦについての情報を入手する。スタンバイＳＭＦについての情報は、後で更新され得ることに留意されたい。スタンバイＳＭＦについての情報が、更新される場合、スタンバイＳＭＦについての情報は、Ｎ４関連付け確立要求と同一の様式で、スタンバイＳＭＦの識別子またはインデックス情報を搬送するＮ４関連付け更新要求を通して配信されてもよい。
【０１０８】
加えて、フローＢは、スタンバイＳＭＦについての情報の入手が、セッションレベルメッセージを確立することによってトリガされることを図示する。
【０１０９】
ステップＢ８０１では、ＡＭＦが、ＳＭコンテキスト作成要求をアクティブＳＭＦに送信する。
【０１１０】
ステップＢ８０２では、アクティブＳＭＦが、ＡＭＦからＳＭコンテキスト作成要求を受信し、ＳＭコンテキスト作成応答をＡＭＦに返す。
【０１１１】
ステップＢ８０３では、アクティブＳＭＦが、ＵＥのための適切なＵＰＦを選択する。
【０１１２】
ステップＢ８０４では、アクティブＳＭＦが、Ｎ４セッション確立要求をＵＰＦに送信し、Ｎ４セッション確立要求は、スタンバイＳＭＦについての情報を搬送する。
【０１１３】
ステップＢ８０５では、ＵＰＦが、アクティブＳＭＦからＮ４セッション確立要求を受信し、要求に従ってＮ４セッションを確立し、Ｎ４セッション確立応答をアクティブＳＭＦに返す。
【０１１４】
スタンバイＳＭＦについての情報もまた、後で更新され得ることを理解されたい。スタンバイＳＭＦについての情報が、更新される場合、スタンバイＳＭＦについての情報は、後続のＰＤＵセッション確立または更新メッセージとともに配信されてもよく、ＵＰＦはまた、受信に応じて、スタンバイＳＭＦについての情報も更新する。
【０１１５】
本実施形態の他の実装では、ＡＭＦ、ＵＤＭ、ＵＰＦ、およびＰＣＦを含む、非ＳＭＦ  ＮＦは、ＮＲＦがアクティブＳＭＦからＮＦ登録要求を受信するときに、ＮＦリポジトリ機能（ＮＲＦ）から、アクティブＳＭＦによって登録されるスタンバイＳＭＦについての情報を入手する。第１に、アクティブＳＭＦは、ＳＭＦ構成パラメータを含むＮＦ登録要求をＮＲＦに送信する。ＳＭＦはさらに、ＳＭＦセットＩＤまたはスタンバイＳＭＦのリストのうちの１つ、もしくはそれらの組み合わせを搬送することに留意されたい。スタンバイＳＭＦのリスト内の各ＳＭＦは、そのＳＭＦインスタンスＩＤを含有する。次いで、ＮＲＦは、ＳＭＦからのＮＦ登録要求を受信および処理し、アクティブＳＭＦがＮＲＦ上にスタンバイＳＭＦについての情報を登録するように、ＮＦ登録応答をＳＭＦに返す。
【０１１６】
図９は、本実施形態による、ＮＦがスタンバイＳＭＦについての情報を入手することを図示する、フローチャートである。スタンバイＳＭＦについての情報がＮＲＦ上に登録されるプロセス、およびＮＦがスタンバイＳＭＦについての情報を入手するプロセスは、それぞれ、フローＡおよびＢによって図示される。フローＡおよびＢは、ステップＡ９０１、Ａ９０２、およびＢ９０１−Ｂ９０４を含む。
【０１１７】
ステップＡ９０１では、アクティブＳＭＦが、ＮＦ登録要求をＮＲＦに送信し、ＮＦ登録要求は、スタンバイＳＭＦについての情報を含む、スタンバイＳＭＦの構成パラメータを搬送する。
【０１１８】
ある実施形態では、本ステップにおいて、アクティブＳＭＦはさらに、ＳＭＦセットＩＤまたはスタンバイＳＭＦのリストのうちの１つ、もしくはそれらの組み合わせを搬送する。スタンバイＳＭＦのリスト内の各ＳＭＦは、そのＳＭＦインスタンスＩＤを含有する。
【０１１９】
ステップＡ９０２では、ＮＲＦが、ＳＭＦからのＮＦ登録要求を受信および処理し、ＮＦ登録応答をＳＭＦに返す。
【０１２０】
ＮＦが、異なるフローの要件に従って、いくつかのスタンバイＳＭＦを入手する必要があるとき、選択のためのスタンバイＳＭＦのリストが、ＮＲＦから入手されるように、ステップＢ９０１およびＢ９０２が、実施される。代替として、ＮＦが、具体的ＳＭＦ（アクティブＳＭＦまたはスタンバイＳＭＦであり得る）の識別子を取得したとき、ＮＦは、ＮＲＦからＳＭＦの構成パラメータを取得する必要があり、ステップＢ９０３およびＢ９０４が、実施される。
【０１２１】
ステップＢ９０１では、ＮＦが、ＮＦ発見要求をＮＲＦに送信し、ＳＭＦになるべきＮＦのタイプを特定し、ＳＭＦによってサポートされる必要があるＤＮＮおよび他の必要な情報を提供する。
【０１２２】
ある実施形態では、本ステップにおいて、ＮＦはまた、ＳＭＦセットＩＤを特定し、同一のＳＭＦセットＩＤを伴うスタンバイＳＭＦのリストを返すようにＮＲＦに要求し得る。
【０１２３】
ステップＢ９０２では、ＮＲＦは、ＮＦからのＮＦ発見要求に従って、適切なスタンバイＳＭＦを検索し、ＮＦ発見応答をＮＦに返す。ＮＦ発見応答は、スタンバイＳＭＦのリストと、各ＳＭＦの構成パラメータとを含む。
【０１２４】
ステップＢ９０３では、ＮＦが、ＮＦ発見要求をＮＲＦに送信し、ＳＭＦになるべきＮＦのタイプを特定し、スタンバイＳＭＦの識別子を提供する。
【０１２５】
ある実施形態では、本ステップにおいて、ＳＭＦ識別子は、ＳＭＦインスタンスＩＤまたはＳＭＦノードＩＤのうちの１つであってもよい。
【０１２６】
ステップＢ９０４では、ＮＲＦが、ＮＦからのＮＦ発見要求に従って、規定スタンバイＳＭＦの構成パラメータを入手し、ＮＦ発見応答をＮＦに返す。ＮＦ発見応答は、要求されたＳＭＦの構成パラメータを含む。概して、ＳＭＦのスタンバイＳＭＦについての情報は、ＳＭＦの構成パラメータに含まれる。
【０１２７】
１つのアクティブＳＭＦが、複数のスタンバイＳＭＦに対応するとき、構成パラメータはさらに、対応するセグメントインデックスＩＤを含む。
【０１２８】
アクティブＳＭＦのインスタンスＩＤまたはＳＭＦノードＩＤを入手した後、ＮＦは、ＮＲＦからアクティブＳＭＦのＳＭＦ構成パラメータを取得し、ＳＭＦ構成パラメータからスタンバイＳＭＦについての情報を取得してもよい。スタンバイＳＭＦについての情報が、スタンバイＳＭＦのインスタンスＩＤのみを含む場合、ＮＦはさらに、ＳＭＦ復旧のためのコールバックＵＲＩ、スタンバイＳＭＦのＮ４インターフェース情報、スタンバイＳＭＦのノード識別子、およびクエリを可能にするＦＱＤＮまたはＩＰアドレス等のスタンバイＳＭＦについての他の情報をＮＲＦから入手してもよい。
【０１２９】
本実施形態のいくつかの実装では、ＳＭＦ障害通知メッセージは、アクティブＳＭＦのＳＭＦインスタンス識別子、アクティブＳＭＦのＳＭＦノード識別子、アクティブＳＭＦのＳＭＦ障害インジケーション、またはＵＥ移行範囲インジケーションのうちの少なくとも１つを含む。
【０１３０】
加えて、ＵＥ移行範囲インジケーションは、例えば、全てのＵＥ、規定範囲内のＵＥ、またはランダム範囲内のＵＥのうちのいずれか１つを含む。
【０１３１】
全てのＵＥは、スタンバイＳＭＦが、機能しなくなったアクティブＳＭＦからスタンバイＳＭＦに全てのＵＥを移行させることを示す。規定範囲内のＵＥは、スタンバイＳＭＦが、アクティブＳＭＦからスタンバイＳＭＦに特定の範囲内のＵＥを移行させることを示す。ランダム範囲内のＵＥは、具体的ＵＥ範囲内で規定されないが、ローカルポリシに従って、またはＵＤＳＦによって決定されるように、スタンバイＳＭＦによってアクティブＳＭＦからスタンバイＳＭＦに移行される、ＵＥの全てまたは一部である。
【０１３２】
本願の実施形態によって提供されるＵＥ移行方法によると、いくつかの実装では、ＮＦは、ＮＦとアクティブＳＭＦとの間のリンク状態を入手し、ＮＦは、ＳＭＦとのシグナリング相互作用を確立するＮＦであり、ＮＦが、アクティブＳＭＦが機能しなくなることをを決定するとき、ＮＦは、アクティブＳＭＦ上のＵＥをスタンバイＳＭＦに移行させるようスタンバイＳＭＦをトリガするように、ＳＭＦ障害通知メッセージをスタンバイＳＭＦに送信し、それによって、ＳＭＦの障害が、ＰＤＵセッションの障害およびＵＥのアップリンクならびにダウンリンクデータを正常に伝送することができないことをもたらす場合を効果的に回避する。さらに、本願はさらに、ＳＭＦ復旧のための全体的な時間を効果的に節約し得る、バッチで機能しなくなったＳＭＦ上のＵＥをスタンバイＳＭＦに復旧するための方法を提供する。
【０１３３】
（実施形態２）
関連技術分野において、ＳＭＦの障害が、ＰＤＵセッションの障害およびＵＥのアップリンクならびにダウンリンクデータを正常に伝送することができないことをもたらす場合を回避するために、本願の実施形態は、ＵＥ移行方法を提供する。本実施形態によって提供されるＵＥ移行方法は、スタンバイＳＭＦに適用され、図１０に示されるように、ステップＳ１００１およびＳ１００２を含む。
【０１３４】
ステップＳ１００１では、スタンバイＳＭＦが、アクティブＳＭＦが機能しなくなることをＮＦが決定するステップに応答して、ＮＦによって送信されるＳＭＦ障害通知メッセージを受信し、ＮＦは、ＳＭＦとのシグナリング相互作用を確立するＮＦである。
【０１３５】
本願の実施形態では、アクティブＳＭＦは、ＮＦとのシグナリング相互作用を有する、現在のＳＭＦである。ＮＦが、アクティブＳＭＦが機能しなくなったＳＭＦであることを検出するとき、ＮＦは、ＳＭＦ障害通知メッセージをスタンバイＳＭＦに送信し、機能しなくなったＳＭＦに取って代わり、機能しなくなったＳＭＦ上のＵＥを引き継ぐようにスタンバイＳＭＦをトリガする。ＮＦのタイプは、ＡＭＦ、ＵＤＭ、ＵＰＦ、およびＰＣＦ等の非ＳＭＦ  ＮＦを含むことを理解されたい。
【０１３６】
本願のいくつかの実施形態では、ＳＭＦ障害通知メッセージは、アクティブＳＭＦが機能しなくなることをスタンバイＳＭＦに示すための障害インジケーション情報を含む。代替として、ＳＭＦ障害通知メッセージは、サービスメッセージによって示されるＵＥコンテキスト情報を見出すステップに応答して、スタンバイＳＭＦが、アクティブＳＭＦが機能しなくなることを決定するためのサービスメッセージである。
【０１３７】
実施例としてＵＰＦを使用することによって、システム構成またはオペレータポリシに従って、１つ以上のスタンバイＳＭＦを選択した後、ＵＰＦは、下記に説明される様式で障害インジケーション情報をスタンバイＳＭＦに送信する。
【０１３８】
（ａ）ＵＰＦによって入手されるスタンバイＳＭＦについての情報が、スタンバイＳＭＦのＳＭＦインスタンスＩＤのみを含む場合、ＵＰＦは、ＳＭＦインスタンスＩＤを使用して、ＮＲＦからＳＭＦの構成パラメータを入手する。
【０１３９】
ＳＭＦ構成パラメータは、ＳＭＦ障害インジケーションを受信するためのコールバックアドレス、またはＮ４インターフェースを確立するための情報を含む。
【０１４０】
ＳＭＦ構成パラメータが、ＳＭＦ障害インジケーションを受信するためのコールバックアドレスを含む場合、ＵＰＦは、方法（ｂ）によって障害インジケーション情報をＳＭＦに送信する。
【０１４１】
ＳＭＦ構成パラメータが、Ｎ４インターフェースを確立するための情報のみを含む場合、ＵＰＦは、方法（ｃ）によって障害インジケーション情報をＳＭＦに送信する。
【０１４２】
（ｂ）ＵＰＦによって入手されるスタンバイＳＭＦについての情報またはスタンバイＳＭＦの構成パラメータが、スタンバイＳＭＦがＳＭＦ障害インジケーションを受信するためのコールバックアドレスを含む場合、ＵＰＦは、障害インジケーション情報を含む通知メッセージをコールバックアドレスに送信する。
【０１４３】
（ｃ）ＵＰＦによって入手されるスタンバイＳＭＦについての情報またはスタンバイＳＭＦの構成パラメータが、Ｎ４インターフェースを確立するための情報を含む場合、ＵＰＦは、スタンバイＳＭＦとのＮ４関連付けを確立し、障害インジケーション情報を含むＮ４インターフェース通知メッセージをスタンバイＳＭＦに送信する。
【０１４４】
１つを上回るスタンバイＳＭＦが、使用されるとき、ＵＰＦは、異なる分割原理に従って、コンテキストを異なるスタンバイＳＭＦに転送してもよい、すなわち、メッセージはまた、前述の実施形態におけるインデックスＩＤを含んでもよい。１つを上回るスタンバイＳＭＦは、ＵＰＦによって提供されるインデックスＩＤに従って、ＵＤＳＦからデータを入手してもよい。ＵＰＦが、スタンバイＳＭＦにインデックスＩＤを提供しない場合、スタンバイＳＭＦはまた、機能しなくなったＳＭＦのためにローカルで構成されるインデックスＩＤに従って、ＵＤＳＦからコンテキストを入手してもよい。
【０１４５】
ＵＰＦによって送信されるＳＭＦ障害インジケーションの後、スタンバイＳＭＦは、機能しなくなったアクティブＳＭＦによって記憶されたコンテキストに関して、ＵＤＳＦにクエリを行う。スタンバイＳＭＦは、ＵＤＳＦに機能しなくなったＳＭＦの識別情報を提供する。複数のスタンバイＳＭＦが存在するとき、インデックスＩＤが、例えば、提供されてもよい。ＵＤＳＦは、スタンバイＳＭＦに機能しなくなったアクティブＳＭＦのコンテキスト情報を提供する。ＵＤＳＦが、展開されない場合、スタンバイＳＭＦはまた、構成されるバックアップ情報に従って、復旧を実施してもよい。
【０１４６】
障害インジケーションが、サービスＮＦによってトリガされる場合、別の非ＳＭＦ  ＮＦが、ＮＲＦにクエリを行い、スタンバイＮＲＦについての情報を入手し、次いで、要求をスタンバイＮＲＦに送信し、要求は、端末に関連する識別子を搬送する。スタンバイＳＭＦは、端末についての情報をローカルで有しておらず、さらに、ローカル記憶装置またはＵＤＳＦにクエリを行い、端末のコンテキストを入手し、故に、アクティブＳＭＦが機能しなくなることを決定し、端末の後続のプロセスを引き継ぐ。
【０１４７】
本実施形態のいくつかの実装では、ＮＦは、ＵＰＦであってもよい。
【０１４８】
加えて、ＮＦが、ＵＰＦであるとき、スタンバイＳＭＦが、アクティブＳＭＦが機能しなくなることを決定するステップに応答して、ＵＰＦによって送信されるＳＭＦ障害通知メッセージを受信する様式は、限定ではないが、下記に説明される２つの様式を含んでもよい。
【０１４９】
様式１では、スタンバイＳＭＦは、アクティブＳＭＦが機能しなくなることを決定するステップに応答して、スタンバイＳＭＦのＳＭＦ復旧のためのコールバックＵＲＩを通して、ＵＰＦによって送信されるＳＭＦ障害通知メッセージを受信する。
【０１５０】
様式２では、スタンバイＳＭＦは、アクティブＳＭＦが機能しなくなることを決定するステップに応答して、スタンバイＳＭＦのＮ４インターフェースを通して、ＵＰＦによって送信されるＳＭＦ障害通知メッセージを受信する。
【０１５１】
ＵＰＦによって入手されるスタンバイＳＭＦについての情報が、スタンバイＳＭＦのＳＭＦインスタンスＩＤのみを含む場合、ＵＰＦは、ＳＭＦインスタンスＩＤを使用して、ＮＲＦからＳＭＦの構成パラメータを入手する。ＳＭＦ構成パラメータは、ＵＰＦが、ＳＭＦ障害通知メッセージをコールバックアドレスまたはＮ４インターフェースに送信するように、ＳＭＦ障害インジケーションを受信するためのコールバックアドレスまたはＮ４インターフェースを確立するための情報を含む。
【０１５２】
ＳＭＦ障害通知メッセージは、アクティブＳＭＦのＳＭＦインスタンス識別子、アクティブＳＭＦのＳＭＦノード識別子、アクティブＳＭＦのＳＭＦ障害インジケーション、またはＵＥ移行範囲インジケーションのうちの少なくとも１つを含み得ることに留意されたい。
【０１５３】
ステップＳ１００２では、スタンバイＳＭＦが、アクティブＳＭＦ上のＵＥをスタンバイＳＭＦに移行させる。
【０１５４】
本願の実施形態では、スタンバイＳＭＦがアクティブＳＭＦ上のＵＥをスタンバイＳＭＦに移行させる様式は、限定ではないが、下記に説明される２つの様式を含む。
【０１５５】
様式１では、スタンバイＳＭＦは、非構造化データ記憶機能（ＵＤＳＦ）から、アクティブＳＭＦ上のＵＥのコンテキスト情報を入手し、スタンバイＳＭＦは、コンテキスト情報に従って、ＮＦ上のＳＭＦ情報を更新し、アクティブＳＭＦからスタンバイＳＭＦにＵＥを移行させ、ＮＦは、ＳＭＦとのシグナリング相互作用を有する非ＳＭＦ  ＮＦである。すなわち、ＵＤＳＦが、ネットワークに存在する場合、ＳＭＦは、ＵＤＳＦ上にデータを動的に記憶し、障害の場合、スタンバイＳＭＦは、ＵＤＳＦからコンテキストを入手する。
【０１５６】
様式２では、スタンバイＳＭＦは、ローカル記憶装置内に動的にバックアップされたアクティブＳＭＦについての情報から、アクティブＳＭＦ上のＵＥのコンテキスト情報を入手し、スタンバイＳＭＦは、コンテキスト情報に従って、ＮＦ上のＳＭＦ情報を更新し、アクティブＳＭＦからスタンバイＳＭＦにＵＥを移行させ、ＮＦは、ＳＭＦとのシグナリング相互作用を有する非ＳＭＦ  ＮＦである。すなわち、ＵＤＳＦが、ネットワークに存在しない場合、ＳＭＦは、スタンバイＳＭＦ内にデータを動的にバックアップし、障害の場合、スタンバイＳＭＦは、復旧のためにローカル記憶装置内のコンテキストを直接使用する。
【０１５７】
本実施形態のいくつかの実装では、スタンバイＳＭＦは、ＳＭＦ障害通知メッセージ内に搬送されるＵＥ移行範囲インジケーションに従って、アクティブＳＭＦ上の移行されるべきＵＥを決定し、スタンバイＳＭＦは、決定されたＵＥをスタンバイＳＭＦに移行させる。ＵＥ移行範囲が、全てのＵＥに設定される場合、スタンバイＳＭＦは、アクティブＳＭＦ上の全てのＵＥをスタンバイＳＭＦに移行させる。ＵＥ移行範囲が、規定範囲内のＵＥに設定される場合、スタンバイＳＭＦは、アクティブＳＭＦ上の規定ＵＥをスタンバイＳＭＦに移行させる。ＵＥ移行範囲が、規定されていない範囲に設定される場合、スタンバイＳＭＦは、ローカルポリシに従って、ランダムに決定されたＵＥをスタンバイＳＭＦに移行させ、ランダムに決定されたＵＥは、ＵＥの全てまたは一部であってもよい。
【０１５８】
１つを上回るスタンバイＳＭＦが、使用されるとき、ＮＦは、異なる分割原理に従って、コンテキストを異なるスタンバイＳＭＦに転送し得ることに留意されたい。スタンバイＳＭＦによって受信され、ＮＦによって送信されるＳＭＦ障害通知メッセージは、前述の実施形態におけるセグメントインデックスＩＤを搬送する。スタンバイＳＭＦは、ＵＰＦによって提供されるインデックスＩＤに従って、ＵＤＳＦからコンテキスト情報を入手してもよい。当然ながら、ＮＦが、セグメントインデックスＩＤを提供しない場合、スタンバイＳＭＦはまた、機能しなくなったアクティブＳＭＦのためにローカルで構成されるセグメントインデックスＩＤに従って、ＵＤＳＦからコンテキスト情報を入手してもよい。
【０１５９】
加えて、本願の実施形態では、スタンバイＳＭＦがアクティブＳＭＦ上のＵＥを移行させる様式はさらに、限定ではないが、下記に説明される３つの様式を含む。
【０１６０】
様式１では、スタンバイＳＭＦは、単一のＵＥのユニット内のＵＥのコンテキスト情報に従って、ＮＦ上のＳＭＦ情報を更新する。
【０１６１】
本実施形態のいくつかの実装では、スタンバイＳＭＦが、単一のＵＥのユニット内のＵＥのコンテキスト情報に従って、ＮＦ上のＳＭＦ情報を更新するステップは、下記に説明されるステップのうちの少なくとも１つを含む。スタンバイＳＭＦは、ＵＥのコンテキスト情報に従って、Ｎ４セッション更新要求をユーザプレーン機能（ＵＰＦ）に送信し、ＵＰＦ上のＳＭＦ情報を更新し、Ｎ４セッション更新要求は、ＳＭＦ置換インジケーションと、アクティブＳＭＦについての情報とを含む。スタンバイＳＭＦは、ＵＥのコンテキスト情報に従って、ＳＭＦ登録更新要求を統一データ管理（ＵＤＭ）機能に送信し、ＵＤＭ上のＳＭＦ情報を更新し、ＳＭＦ登録更新要求は、ＳＭＦ置換インジケーションと、アクティブＳＭＦについての情報とを含む。スタンバイＳＭＦは、ＵＥのコンテキスト情報に従って、ＳＭセッション状態更新要求をＡＭＦに送信し、ＡＭＦ上のＳＭＦ情報を更新し、ＳＭセッション状態更新要求は、ＳＭＦ置換インジケーションと、アクティブＳＭＦについての情報とを含む。スタンバイＳＭＦは、ＵＥのコンテキスト情報に従って、ＳＭポリシ更新要求をポリシ制御機能（ＰＣＦ）に送信し、ＰＣＦ上のＳＭＦ情報を更新し、ＳＭポリシ更新要求は、ＳＭＦ置換インジケーションと、アクティブＳＭＦについての情報とを含む。図１１は、本実施形態による、アクティブＳＭＦが機能しなくなることを把握した後に、ＮＦがＵＥを移行させるようにスタンバイＳＭＦをトリガすることを図示する、フローチャートである。図１１に示されるように、プロセスは、ステップ１１０１−１１１４を含む。
【０１６２】
ステップ１１０１では、アクティブＳＭＦが機能しなくなることを検出するとき、ＮＦは、スタンバイＳＭＦが機能しなくなったＳＭＦ上のＵＥを引き継ぐことをスタンバイＳＭＦに通知する。
【０１６３】
ＮＦは、実施形態１における様式で、アクティブＳＭＦが機能しなくなることを検出してもよく、次いで、ＮＦは、ＳＭＦ構成パラメータ（ＳＭＦプロファイル）からスタンバイＳＭＦについての情報を入手する。
【０１６４】
ステップ１１０２では、ＮＦが、ＳＭＦ障害通知メッセージをスタンバイＳＭＦに送信し、アクティブＳＭＦに取って代わり、アクティブＳＭＦ上のＵＥの全てまたは一部を引き継ぐようにスタンバイＳＭＦをトリガする。
【０１６５】
本ステップでは、ＳＭＦ障害通知メッセージは、置換されたＳＭＦのＳＭＦインスタンスＩＤを搬送する。加えて、いくつかの実装では、ＳＭＦ置換インジケーション、ＵＥ移行範囲インジケーション、およびＮＦ置換理由もまた、搬送されてもよい。ＵＥ移行範囲インジケーションは、全てのＵＥ、規定範囲内のＵＥ、またはランダム範囲内のＵＥのうちの１つであってもよい。ＮＦ置換理由は、例えば、ＳＭＦ障害であり得る。
【０１６６】
ステップ１１０３では、スタンバイＳＭＦが、ＳＭＦ障害通知応答をＮＦに返す。
【０１６７】
ステップ１１０４では、スタンバイＳＭＦが、機能しなくなったアクティブＳＭＦ上のＵＥのコンテキスト情報に関してＵＤＳＦにクエリを行う。
【０１６８】
スタンバイＳＭＦは、下記に説明される様式で、アクティブＳＭＦ上のＵＥのコンテキスト情報に関してＵＤＳＦにクエリを行う。
（ａ）ＵＥ移行範囲が、全てのＵＥに設定される場合、スタンバイＳＭＦは、ＵＤＳＦからアクティブＳＭＦ上の全てのＵＥのコンテキスト情報を入手する。
（ｂ）ＵＥ移行範囲が、規定範囲内のＵＥに設定される場合、スタンバイＳＭＦは、ＵＤＳＦにＵＥ範囲を提供し、ＵＤＳＦから規定範囲内および機能しなくなったアクティブＳＭＦ上のＵＥのコンテキスト情報を入手する。
（ｃ）ＵＥ移行範囲が、ランダム範囲内のＵＥに設定される場合、スタンバイＳＭＦは、ローカルポリシまたはＵＤＳＦのポリシに従って、ＵＤＳＦから機能しなくなったアクティブＳＭＦ上のＵＥの全てまたは一部のコンテキスト情報を入手する。
【０１６９】
ＵＤＳＦからスタンバイＳＭＦによって入手されるＵＥコンテキスト情報は、ＰＤＵセッションコンテキスト、Ｎ４セッションコンテキスト、ＵＤＭ登録情報、ＡＭＦ情報、またはＰＣＦ情報のうちの１つ、もしくはそれらの組み合わせを含む。
【０１７０】
ステップ１１０５では、ＵＤＳＦが、スタンバイＳＭＦからの要求に従って、機能しなくなったアクティブＳＭＦ上のＵＥの要求されたコンテキスト情報のリストをスタンバイＳＭＦに返す。
【０１７１】
スタンバイＳＭＦは、ＰＤＵセッションコンテキスト、Ｎ４セッションコンテキスト、ＵＤＭ登録情報、ＡＭＦ情報、ＰＣＦ情報、または同等物を含む、各ＵＥのＵＥコンテキスト情報を入手する。
【０１７２】
ステップ１１０６では、スタンバイＳＭＦが、ＵＥ毎に他のＮＦ上のＳＭＦ情報を更新する。
【０１７３】
スタンバイＳＭＦは、機能しなくなったＳＭＦ上のＵＥのコンテキスト情報の入手されたリストから、各ＵＥのＵＥコンテキスト情報を入手し、ＵＥコンテキスト情報に従って、ＳＭＦとＵＰＦとの間のＮ４セッションを復旧し（ステップ１１０７および１１０８）、ＵＤＭ上のＳＭＦのＳＭＦ登録情報を更新し（ステップ１１０９および１１１０）、ＡＭＦ上のＳＭＦの情報を更新し（ステップ１１１１および１１１２）、ＰＣＦ上のＳＭＦの情報を更新する（ステップ１０１３および１０１４）。
【０１７４】
ステップ１１０７では、スタンバイＳＭＦが、ＵＰＦ上のＵＥのＮ４セッションを更新することを決定する。
【０１７５】
ＳＭＦがＵＰＦへのＮ４セッション更新要求を開始する前に、スタンバイＳＭＦは、ＵＰＦとのＮ４関連付けを確立する。
【０１７６】
ステップ１１０８では、スタンバイＳＭＦが、Ｎ４セッション更新要求をＵＰＦに送信し、Ｎ４セッションのＳＭＦ情報を更新するようにＵＰＦに命令し、ＵＰＦが、Ｎ４セッション更新応答をスタンバイＳＭＦに返す。
【０１７７】
本ステップでは、スタンバイＳＭＦは、Ｎ４セッション更新要求を送信するときに、以下の情報、すなわち、ＳＭＦ置換インジケーション、およびＳＭＦノードＩＤまたはＳＭＦインスタンスＩＤのうちの１つ、もしくはそれらの組み合わせを含み得る、オリジナルＳＭＦについての情報（古いＳＭＦ情報）を搬送する。加えて、標的ＳＭＦについての情報（新しいＳＭＦ情報）もまた、搬送されてもよく、標的ＳＭＦについての情報は、ＳＭＦノードＩＤまたはＳＭＦインスタンスＩＤのうちの１つ、もしくはそれらの組み合わせを含んでもよい。
【０１７８】
ステップ１１０９では、スタンバイＳＭＦが、ＵＤＭ上のＳＭＦ登録情報を更新することを決定する。
【０１７９】
ステップ１１１０では、スタンバイＳＭＦが、ＳＭＦ登録更新要求をＵＤＭに送信し、ＳＭＦ登録情報を更新するようにＵＤＭに命令し、ＵＤＭが、ＳＭＦ登録更新応答をスタンバイＳＭＦに返す。
【０１８０】
本ステップでは、スタンバイＳＭＦは、ＳＭＦ登録更新要求を送信するときに、以下の情報、すなわち、ＵＥ識別子（ＳＵＰＩ等）、ＳＭＦ置換インジケーション、およびオリジナルＳＭＦについての情報（古いＳＭＦ情報）を搬送する。加えて、標的ＳＭＦについての情報（新しいＳＭＦ情報）もまた、搬送されてもよい。
【０１８１】
ステップ１１１１では、スタンバイＳＭＦが、ＡＭＦ上のＳＭＦ情報を更新することを決定する。
【０１８２】
ステップ１１１２では、スタンバイＳＭＦが、ＳＭセッション状態通知要求をＡＭＦに送信し、ＳＭＦ情報を更新するようにＡＭＦに命令し、ＡＭＦが、ＳＭセッション状態通知応答をスタンバイＳＭＦに返す。
【０１８３】
本ステップでは、スタンバイＳＭＦはまた、ＳＭセッション状態通知要求を送信するときに、以下の情報、すなわち、ＵＥ識別子（ＳＵＰＩ等）、ＳＭＦ置換インジケーション、およびオリジナルＳＭＦについての情報（古いＳＭＦ情報）を搬送してもよい。加えて、標的ＳＭＦについての情報（新しいＳＭＦ情報）もまた、搬送されてもよい。
【０１８４】
ステップ１１１３では、スタンバイＳＭＦが、ＰＣＦ上のＳＭＦ情報を更新することを決定する。
【０１８５】
ステップ１１１４では、スタンバイＳＭＦが、ＳＭポリシ更新要求をＰＣＦに送信し、ＳＭＦ情報を更新するようにＰＣＦに命令し、ＰＣＦが、ＳＭポリシ更新応答をスタンバイＳＭＦに返す。
【０１８６】
本ステップでは、スタンバイＳＭＦはまた、ＳＭセッションポリシ更新要求を送信するときに、以下の情報、すなわち、ＵＥ識別子（ＳＵＰＩ等）、ＳＭＦ置換インジケーション、およびオリジナルＳＭＦについての情報（古いＳＭＦ情報）を搬送してもよい。加えて、標的ＳＭＦについての情報（新しいＳＭＦ情報）もまた、搬送されてもよい。
【０１８７】
様式２では、スタンバイＳＭＦは、単一のＮＦのユニット内のＵＥのコンテキスト情報に従って、ＮＦ上のＳＭＦ情報を更新する。
【０１８８】
本実施形態のいくつかの実装では、スタンバイＳＭＦが、単一のＮＦのユニット内のＵＥのコンテキスト情報に従って、ＮＦ上のＳＭＦ情報を更新するステップは、下記に説明されるステップのうちの少なくとも１つを含む。スタンバイＳＭＦは、ＵＥのコンテキスト情報に従って、ＮＦ置換要求を各ＵＰＦに送信し、ＵＰＦ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＵＤＭに送信し、ＵＤＭ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＡＭＦに送信し、ＡＭＦ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＰＣＦに送信し、ＰＣＦ上のＳＭＦ情報を更新し、ＮＦ置換要求は、ＳＭＦ置換インジケーションと、アクティブＳＭＦについての情報とを含む。図１２は、本実施形態による、アクティブＳＭＦが機能しなくなることを把握した後に、ＮＦがＵＥを移行させるようにスタンバイＳＭＦをトリガすることを図示する、別のフローチャートである。図１２に示されるように、プロセスは、ステップ１２０１−１２１３を含む。
【０１８９】
ステップ１２０１−１２０５は、図１１に対応する実装におけるステップ１１０１−１１０５と同一である。詳細は、ここでは繰り返されない。
【０１９０】
本実施形態では、スタンバイＳＭＦは、ＮＦ毎に他のＮＦ上のＳＭＦ情報を更新する。すなわち、機能しなくなったＳＭＦ上のＵＥの入手されたコンテキスト情報から、スタンバイＳＭＦは、ＳＭＦと関連付けられるＵＰＦ、ＵＤＭ、ＡＭＦ、ＰＣＦ、および同等物を列挙し、ＮＦ置換要求をＵＰＦ、ＵＤＭ、ＡＭＦ、およびＰＣＦのそれぞれに別個に送信する。
【０１９１】
ステップ１２０６では、スタンバイＳＭＦが、各ＵＰＦ上のＳＭＦ情報を更新することを決定する。
【０１９２】
ステップ１２０７では、スタンバイＳＭＦが、ＮＦ置換要求をＵＰＦに送信し、ＳＭＦ情報を更新するようにＵＰＦに命令し、ＵＰＦが、ＮＦ置換応答をスタンバイＳＭＦに返す。
【０１９３】
ステップ１２０８では、スタンバイＳＭＦが、各ＵＤＭ上のＳＭＦ情報を更新することを決定する。
【０１９４】
ステップ１２０９では、スタンバイＳＭＦが、ＮＦ置換要求をＵＤＭに送信し、ＳＭＦ情報を更新するようにＵＤＭに命令し、ＵＤＭが、ＮＦ置換応答をスタンバイＳＭＦに返す。
【０１９５】
ステップ１２１０では、スタンバイＳＭＦが、各ＡＭＦ上のＳＭＦ情報を更新することを決定する。
【０１９６】
ステップ１２１１では、スタンバイＳＭＦが、ＮＦ置換要求をＡＭＦに送信し、ＳＭＦ情報を更新するようにＡＭＦに命令し、ＡＭＦが、ＮＦ置換応答をスタンバイＳＭＦに返す。
【０１９７】
ステップ１２１２では、スタンバイＳＭＦが、各ＰＣＦ上のＳＭＦ情報を更新することを決定する。
【０１９８】
ステップ１２１３では、スタンバイＳＭＦが、ＮＦ置換要求をＰＣＦに送信し、ＳＭＦ情報を更新するようにＰＣＦに命令し、ＰＣＦが、ＮＦ置換応答をスタンバイＳＭＦに返す。
【０１９９】
ステップ１２０７、１２０９、１２１１、および１２１３では、スタンバイＳＭＦは、ＮＦ置換要求を送信するときに、以下の情報、すなわち、ＳＭＦ置換インジケーションおよびオリジナルＳＭＦについての情報を搬送してもよい。ある実施形態では、スタンバイＳＭＦはまた、標的ＳＭＦについての情報を搬送してもよい。オリジナルＳＭＦについての情報および標的ＳＭＦについての情報はそれぞれ、対応するＳＭＦインスタンスＩＤを含むことに留意されたい。
【０２００】
様式３では、スタンバイＳＭＦは、ＮＦ上のＳＭＦ情報が更新されるように、単一のＵＥのユニット内のＵＥのコンテキスト情報に従って、パケットデータユニット（ＰＤＵ）セッションを更新する。
【０２０１】
本実施形態のいくつかの実装では、スタンバイＳＭＦが、単一のＵＥをユニットとして使用するとき、スタンバイＳＭＦは、ＵＥのコンテキスト情報に従って、Ｎ１／Ｎ２メッセージ転送要求をＡＭＦに送信し、Ｎ１／Ｎ２メッセージ転送要求は、ＡＭＦがＰＤＵセッション更新要求をＵＥに送信し、ＰＤＵセッションを更新するように、ＰＤＵセッション更新要求を含む。図１３は、本実施形態による、アクティブＳＭＦが機能しなくなることを把握した後に、ＮＦがＵＥを移行させるようにスタンバイＳＭＦをトリガすることを図示する、別のフローチャートである。図１３に示されるように、プロセスは、ステップ１３０１−１３０９を含む。
【０２０２】
ステップ１３０１−１３０５は、図１１に対応する実装におけるステップ１１０１−１１０５と同一である。詳細は、ここでは繰り返されない。
【０２０３】
ステップ１３０６では、スタンバイＳＭＦが、ＵＥ毎にＰＤＵセッション更新プロセスを開始する。
【０２０４】
スタンバイＳＭＦは、機能しなくなったアクティブＳＭＦ上のＵＥのコンテキスト情報の入手されたリストから、各ＵＥのＵＥコンテキスト情報を入手し、ＵＥコンテキスト情報を使用して、ＰＤＵセッション更新プロセスを開始する。
【０２０５】
ステップ１３０７では、スタンバイＳＭＦが、ＰＤＵセッション更新要求を含むＮ１／Ｎ２メッセージ転送要求をＡＭＦに送信する。
【０２０６】
本ステップでは、スタンバイＳＭＦは、ＳＭＦ置換インジケーションおよびオリジナルＳＭＦについての情報を搬送してもよい。ある実施形態では、スタンバイＳＭＦはまた、標的ＳＭＦについての情報を搬送してもよい。オリジナルＳＭＦについての情報および標的ＳＭＦについての情報はそれぞれ、対応するＳＭＦインスタンスＩＤを含むことに留意されたい。
【０２０７】
ステップ１３０８では、ＡＭＦが、ＰＤＵセッション更新要求をＵＥに送信する。
【０２０８】
ステップ１３０９では、ＳＭＦとＵＰＦ、ＳＭＦとＵＤＭ、ＳＭＦとＡＭＦ、およびＳＭＦとＰＣＦとの間のセッションまたは情報関連付けが、全て更新される、すなわち、ＵＰＦ、ＵＤＭ、ＡＭＦ、およびＰＣＦ上のオリジナルＳＭＦ（機能しなくなったアクティブＳＭＦ）についての情報が、新しいＳＭＦ（スタンバイＳＭＦ）についての情報に更新されるように、ＰＤＵセッションが、更新されるように継続される。
【０２０９】
本願の実施形態によって提供されるＵＥ移行方法によると、いくつかの実装では、スタンバイＳＭＦは、アクティブＳＭＦが機能しなくなることをＮＦが決定するステップに応答して、ＮＦによって送信されるＳＭＦ障害通知メッセージを受信し、ＮＦは、ＳＭＦとのシグナリング相互作用を確立し、スタンバイＳＭＦは、ＳＭＦ障害通知メッセージによって命令されるように、アクティブＳＭＦ上のＵＥをスタンバイＳＭＦに移行させ、これは、ＳＭＦの障害が、ＰＤＵセッションの障害およびＵＥのアップリンクならびにダウンリンクデータを正常に伝送することができないことをもたらす場合を効果的に回避し得る。さらに、本願はさらに、ＳＭＦ復旧のための全体的な時間を効果的に節約し得る、バッチで機能しなくなったＳＭＦ上のＵＥをスタンバイＳＭＦに復旧するための方法を提供する。
【０２１０】
（実施形態３）
関連技術分野において、ＳＭＦの障害が、ＰＤＵセッションの障害およびＵＥのアップリンクならびにダウンリンクデータの伝送障害をもたらす場合を回避するために、本願の実施形態は、ＵＥ移行方法を提供する。本実施形態によって提供されるＵＥ移行方法は、ＮＦと、スタンバイＳＭＦとを含む、システムに適用され、図１４に示されるように、ステップ１４０１−１４０３を含む。
【０２１１】
ステップ１４０１では、ＮＦが、ＮＦとアクティブＳＭＦとの間のリンク状態を入手し、ＮＦは、ＳＭＦとのシグナリング相互作用を確立するＮＦである。
【０２１２】
ＮＦのタイプは、ＡＭＦ、ＵＤＭ、ＵＰＦ、およびＰＣＦ等の非ＳＭＦ  ＮＦを含む。アクティブＳＭＦは、ＮＦとのシグナリング相互作用を有する、現在のＳＭＦである。本実施形態では、ＮＦとアクティブＳＭＦとの間のリンク状態が、検出され、リンクが破損しているかどうかを入手することによって、アクティブＳＭＦが機能しなくなるかどうかが決定される。
【０２１３】
本実施形態のいくつかの実装では、ＮＦは、ユーザプレーン機能（ＵＰＦ）である。この場合、ＵＰＦがＵＰＦとアクティブＡＭＦとの間のリンク状態を入手する様式は、限定ではないが、下記に説明される２つの様式を含む。
【０２１４】
様式１では、ＵＰＦは、Ｎ４シグナリングメッセージをアクティブＳＭＦに送信するステップに応答して、Ｎ４シグナリング送信状態を検出することによって、ＵＰＦとアクティブＳＭＦとの間のリンク状態を入手する。ＵＰＦによってＳＭＦに送信されるＮ４シグナリングメッセージは、例えば、ダウンリンクデータ着信通知である。ＵＥは、シグナリングを送信することができないことに応答して、リンクが破損していることを知覚し得る。
【０２１５】
様式２では、ＵＰＦは、アクティブＳＭＦとのＮ４関連付けが確立された後に、ＵＰＦとアクティブＳＭＦとの間のハートビートを検出することによって、ＵＰＦとアクティブＳＭＦとの間のリンク状態を入手する。ハートビート等のキープアライブ機構が、リンク検出のためにＵＰＦとＳＭＦとの間に存在する、すなわち、検出メッセージが、リンク状態を決定するように、周期的に送信される。
【０２１６】
加えて、本実施形態の他の実装では、ＮＦは、非ＵＰＦ  ＮＦである、すなわち、ＮＦは、ＡＭＦ、ＰＣＦ、ＵＤＭ、または同等物である。非ＵＰＦ  ＮＦは、アクティブＳＭＦとのシグナリング相互作用が確立された後に、非ＵＰＦ  ＮＦとアクティブＳＭＦとの間のハートビートまたはシグナリング相互作用応答状況に従って、非ＵＰＦ  ＮＦとアクティブＳＭＦとの間のリンク状態を入手し、それによって、アクティブＳＭＦが機能しなくなるかどうかを決定する。
【０２１７】
ステップ１４０２では、ＮＦが、アクティブＳＭＦが機能しなくなることを決定するステップに応答して、ＳＭＦ障害通知メッセージをスタンバイＳＭＦに送信する。
【０２１８】
ＮＦが、アクティブＳＭＦが機能しなくなることを検出するとき、ＮＦは、ＳＭＦ障害通知メッセージをスタンバイＳＭＦに送信し、機能しなくなったＳＭＦに取って代わり、機能しなくなったＳＭＦ上のＵＥを引き継ぐようにスタンバイＳＭＦをトリガしてもよい。ＮＦがＵＰＦであるとき、ある実装では、ＵＰＦは、アクティブＳＭＦが機能しなくなることを決定するステップに応答して、スタンバイＳＭＦのＳＭＦ復旧のためのコールバックＵＲＩを通して、ＳＭＦ障害通知メッセージをスタンバイＳＭＦに送信することに留意されたい。別の実装では、ＵＰＦはまた、アクティブＳＭＦが機能しなくなることを決定するステップに応答して、スタンバイＳＭＦのＮ４インターフェース情報を通して、ＳＭＦ障害通知メッセージをスタンバイＳＭＦに送信してもよい。
【０２１９】
加えて、ＳＭＦ障害通知メッセージをスタンバイＳＭＦに送信するステップは、ＮＦが、アクティブＳＭＦのスタンバイＳＭＦについての情報を入手することと、ＮＦが、スタンバイＳＭＦについての情報に従って、ＳＭＦ障害通知メッセージをスタンバイＳＭＦに送信することとを含む。スタンバイＳＭＦについての情報は、スタンバイＳＭＦのセット識別子、スタンバイＳＭＦのインスタンス識別子、スタンバイＳＭＦのＳＭＦ復旧のためのコールバックＵＲＩ、スタンバイＳＭＦのＮ４インターフェース情報、スタンバイＳＭＦのＳＭＦノード識別子、またはスタンバイＳＭＦの識別子とセグメントインデックスＩＤとの間の対応のうちの少なくとも１つを含む。
【０２２０】
スタンバイＳＭＦの識別子とセグメントインデックスＩＤとの間の対応は、アクティブＳＭＦ上のＵＥコンテキスト情報がセグメント化およびインデックス化された後の対応するスタンバイＳＭＦを示すために使用されることに留意されたい。あるＳＭＦが、障害の場合に、大量のデータをスタンバイＳＭＦに急に転送する必要があるときに、エラーが引き起こされ得ることを考慮して、ＳＭＦは、ＳＭＦによって記憶されたＵＥコンテキスト情報をセグメント化およびインデックス化し、インデックスＩＤを決定してもよく、インデックスＩＤは、情報の一部が１つのスタンバイＳＭＦに転送され、情報の別の部分が別のスタンバイＳＭＦに転送されることを示すために使用される。アクティブＳＭＦが、Ｎ４関連付け確立要求をＵＰＦに送信するとき、スタンバイＳＭＦの識別子とセグメントインデックスＩＤとの間の対応が、ＵＰＦに配信されるように搬送されてもよい。続いて、ＰＤＵセッションコンテキストが作成されるとき、アクティブＳＭＦは、対応するセグメントインデックスＩＤをＵＰＦに配信し、ＵＰＦは、復旧時の対応に従って、データが復旧されるスタンバイＭＦを決定してもよい。加えて、ＳＭＦ識別子は、ここでは、ＳＭＦインスタンスＩＤまたはＳＭＦノード識別子のうちの１つであってもよい。
【０２２１】
本実施形態のいくつかの実装では、ＵＰＦは、アクティブＳＭＦによって送信されるＮ４関連付け確立要求、Ｎ４関連付け更新要求、Ｎ４セッション確立要求、またはＮ４セッション更新要求を受信するときに、Ｎ４関連付け確立要求、Ｎ４関連付け更新要求、Ｎ４セッション確立要求、またはＮ４セッション更新要求内で搬送されるスタンバイＳＭＦについての情報を入手する。
【０２２２】
本実施形態の他の実装では、ＡＭＦ、ＵＤＭ、ＵＰＦ、およびＰＣＦを含む、非ＳＭＦ  ＮＦは、ＮＲＦがアクティブＳＭＦからＮＦ登録要求を受信するときに、、ＮＦリポジトリ機能（ＮＲＦ）から、アクティブＳＭＦによって登録されるスタンバイＳＭＦについての情報を入手する。
【０２２３】
本実施形態のいくつかの実装では、ＳＭＦ障害通知メッセージは、アクティブＳＭＦのＳＭＦインスタンス識別子、アクティブＳＭＦのＳＭＦノード識別子、アクティブＳＭＦのＳＭＦ障害インジケーション、またはＵＥ移行範囲インジケーションのうちの少なくとも１つを含む。
【０２２４】
加えて、ＵＥ移行範囲インジケーションは、例えば、全てのＵＥ、規定範囲内のＵＥ、またはランダム範囲内のＵＥのうちのいずれか１つを含む。
【０２２５】
全てのＵＥは、スタンバイＳＭＦが、機能しなくなったアクティブＳＭＦからスタンバイＳＭＦに全てのＵＥを移行させることを示す。規定範囲内のＵＥは、スタンバイＳＭＦが、アクティブＳＭＦからスタンバイＳＭＦに特定の範囲内のＵＥを移行させることを示す。ランダム範囲内のＵＥは、具体的ＵＥ範囲内で規定されないが、ローカルポリシに従って、またはＵＤＳＦによって決定されるように、スタンバイＳＭＦによってアクティブＳＭＦからスタンバイＳＭＦに移行される、ＵＥの全てまたは一部である。
【０２２６】
ステップ１４０３では、スタンバイＳＭＦは、ＳＭＦ障害通知メッセージを受信するステップに応答して、アクティブＳＭＦ上のＵＥをスタンバイＳＭＦに移行させる。
【０２２７】
本願の実施形態では、スタンバイＳＭＦがアクティブＳＭＦ上のＵＥをスタンバイＳＭＦに移行させる様式は、限定ではないが、下記に説明される２つの様式を含む。
【０２２８】
様式１では、スタンバイＳＭＦは、非構造化データ記憶機能（ＵＤＳＦ）から、アクティブＳＭＦ上のＵＥのコンテキスト情報を入手し、スタンバイＳＭＦは、コンテキスト情報に従って、ＮＦ上のＳＭＦ情報を更新し、アクティブＳＭＦからスタンバイＳＭＦにＵＥを移行させ、ＮＦは、ＳＭＦとのシグナリング相互作用を有する非ＳＭＦ  ＮＦである。
【０２２９】
様式２では、スタンバイＳＭＦは、ローカル記憶装置内に動的にバックアップされたアクティブＳＭＦについての情報から、アクティブＳＭＦ上のＵＥのコンテキスト情報を入手し、スタンバイＳＭＦは、コンテキスト情報に従って、ＮＦ上のＳＭＦ情報を更新し、アクティブＳＭＦからスタンバイＳＭＦにＵＥを移行させ、ＮＦは、ＳＭＦとのシグナリング相互作用を有する非ＳＭＦ  ＮＦである。
【０２３０】
加えて、本願の実施形態では、スタンバイＳＭＦがアクティブＳＭＦ上のＵＥを移行させる様式はさらに、限定ではないが、下記に説明される３つの様式を含む。
【０２３１】
様式１では、スタンバイＳＭＦは、単一のＵＥのユニット内のＵＥのコンテキスト情報に従って、ＮＦ上のＳＭＦ情報を更新する。
【０２３２】
本実施形態のいくつかの実装では、スタンバイＳＭＦが、単一のＵＥのユニット内のＵＥのコンテキスト情報に従って、ＮＦ上のＳＭＦ情報を更新するステップは、下記に説明されるステップのうちの少なくとも１つを含む。スタンバイＳＭＦは、ＵＥのコンテキスト情報に従って、Ｎ４セッション更新要求をユーザプレーン機能（ＵＰＦ）に送信し、ＵＰＦ上のＳＭＦ情報を更新し、Ｎ４セッション更新要求は、ＳＭＦ置換インジケーションと、アクティブＳＭＦについての情報とを含む。スタンバイＳＭＦは、ＵＥのコンテキスト情報に従って、ＳＭＦ登録更新要求を統一データ管理（ＵＤＭ）機能に送信し、ＵＤＭ上のＳＭＦ情報を更新し、ＳＭＦ登録更新要求は、ＳＭＦ置換インジケーションと、アクティブＳＭＦについての情報とを含む。スタンバイＳＭＦは、ＵＥのコンテキスト情報に従って、ＳＭセッション状態更新要求をＡＭＦに送信し、ＡＭＦ上のＳＭＦ情報を更新し、ＳＭセッション状態更新要求は、ＳＭＦ置換インジケーションと、アクティブＳＭＦについての情報とを含む。スタンバイＳＭＦは、ＵＥのコンテキスト情報に従って、ＳＭポリシ更新要求をポリシ制御機能（ＰＣＦ）に送信し、ＰＣＦ上のＳＭＦ情報を更新し、ＳＭポリシ更新要求は、ＳＭＦ置換インジケーションと、アクティブＳＭＦについての情報とを含む。
【０２３３】
様式２では、スタンバイＳＭＦは、単一のＮＦのユニット内のＵＥのコンテキスト情報に従って、ＮＦ上のＳＭＦ情報を更新する。
【０２３４】
本実施形態のいくつかの実装では、スタンバイＳＭＦが、単一のＮＦのユニット内のＵＥのコンテキスト情報に従って、ＮＦ上のＳＭＦ情報を更新するステップは、下記に説明されるステップのうちの少なくとも１つを含む。スタンバイＳＭＦは、ＵＥのコンテキスト情報に従って、ＮＦ置換要求を各ＵＰＦに送信し、ＵＰＦ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＵＤＭに送信し、ＵＤＭ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＡＭＦに送信し、ＡＭＦ上のＳＭＦ情報を更新し、ＮＦ置換要求は、ＳＭＦ置換インジケーションと、アクティブＳＭＦについての情報とを含む。スタンバイＳＭＦは、ＵＥのコンテキスト情報に従って、ＮＦ置換要求を各ＰＣＦに送信し、ＰＣＦ上のＳＭＦ情報を更新し、ＮＦ置換要求は、ＳＭＦ置換インジケーションと、アクティブＳＭＦについての情報とを含む。
【０２３５】
様式３では、スタンバイＳＭＦは、ＮＦ上のＳＭＦ情報が更新されるように、単一のＵＥのユニット内のＵＥのコンテキスト情報に従って、パケットデータユニット（ＰＤＵ）セッションを更新する。
【０２３６】
本実施形態のいくつかの実装では、スタンバイＳＭＦが、単一のＵＥをユニットとして使用するとき、スタンバイＳＭＦは、ＵＥのコンテキスト情報に従って、Ｎ１／Ｎ２メッセージ転送要求をＡＭＦに送信し、Ｎ１／Ｎ２メッセージ転送要求は、ＡＭＦがＰＤＵセッション更新要求をＵＥに送信し、ＰＤＵセッションを更新するように、ＰＤＵセッション更新要求を含む。
【０２３７】
本願の実施形態によって提供されるＵＥ移行方法によると、いくつかの実装では、ＳＭＦとのシグナリング相互作用を確立するＮＦは、ＮＦとＳＭＦとの間のリンク状態を入手し、ＮＦは、アクティブＳＭＦが機能しなくなることを決定するステップに応答して、ＳＭＦ障害通知メッセージをスタンバイＳＭＦに送信し、スタンバイＳＭＦは、受信されたＳＭＦ障害通知メッセージに従って、アクティブＳＭＦ上のＵＥをスタンバイＳＭＦに移行させ、これは、ＳＭＦの障害が、ＰＤＵセッションの障害およびＵＥのアップリンクならびにダウンリンクデータを正常に伝送することができないことをもたらす場合を効果的に回避し得る。さらに、本願はさらに、ＳＭＦ復旧のための全体的な時間を効果的に節約し得る、バッチで機能しなくなったＳＭＦ上のＵＥをスタンバイＳＭＦに復旧するための方法を提供する。
【０２３８】
（実施形態４）
図１５は、本実施形態による、ユーザ機器（ＵＥ）移行システムの構造図である。ＵＥ移行システムは、ＮＦ１５０１と、スタンバイＳＭＦ１５０２とを含む。ＮＦ１５０１は、ＳＭＦとのシグナリング相互作用を有し、アクティブＳＭＦが機能しなくなることを決定するステップに応答して、ＳＭＦ障害通知メッセージをスタンバイＳＭＦに送信するように構成される、ＮＦであり、ＳＭＦ障害通知メッセージは、アクティブＳＭＦ上のＵＥをスタンバイＳＭＦに移行させるようにスタンバイＳＭＦ１５０２をトリガするために使用される。スタンバイＳＭＦ１５０２は、アクティブＳＭＦが機能しなくなることを決定するステップに応答して、ＮＦ１５０１によって送信されるＳＭＦ障害通知メッセージを受信し、アクティブＳＭＦ上のＵＥをスタンバイＳＭＦに移行させるように構成される。
【０２３９】
図１６は、本願のある実施形態による、ＳＭＦとのシグナリング相互作用を有する、ＮＦに適用されるユーザ機器（ＵＥ）移行装置の構造図である。図１６に示されるように、ＵＥ移行装置は、入手モジュール１６０１と、送信モジュール１６０２とを含む。
【０２４０】
入手モジュール１６０１は、ＮＦとアクティブＳＭＦとの間のリンク状態を入手するように構成される。
【０２４１】
送信モジュール１６０２は、アクティブＳＭＦが機能しなくなることを決定するステップに応答して、ＳＭＦ障害通知メッセージをスタンバイＳＭＦに送信するように構成され、ＳＭＦ障害通知メッセージは、アクティブＳＭＦ上のＵＥをスタンバイＳＭＦに移行させるようにスタンバイＳＭＦをトリガするために使用される。
【０２４２】
本願の実施形態では、ＮＦのタイプは、ＡＭＦ、ＵＤＭ、ＵＰＦ、およびＰＣＦ等の非ＳＭＦ  ＮＦを含む。アクティブＳＭＦは、ＮＦとのシグナリング相互作用を有する、現在のＳＭＦである。本実施形態では、入手モジュール１６０１は、ＮＦとアクティブＳＭＦとの間のリンク状態を検出し、リンクが破損しているかどうかを入手することによって、アクティブＳＭＦが機能しなくなるかどうかを決定する。
【０２４３】
本実施形態のいくつかの実装では、ＮＦは、ユーザプレーン機能（ＵＰＦ）である。この場合、入手モジュール１６０１がＵＰＦとアクティブＡＭＦとの間のリンク状態を入手する様式は、限定ではないが、下記に説明される２つの様式を含む。
【０２４４】
様式１では、入手モジュール１６０１は、ＵＰＦがＮ４シグナリングメッセージをアクティブＳＭＦに送信するステップに応答して、Ｎ４シグナリング送信状態を検出することによって、ＵＰＦとアクティブＳＭＦとの間のリンク状態を入手する。ＵＰＦによってＳＭＦに送信されるＮ４シグナリングメッセージは、例えば、ダウンリンクデータ着信通知である。入手モジュール１６０１は、シグナリングを送信することができないことに応答して、リンクが破損していることを知覚し得る。
【０２４５】
様式２では、入手モジュール１６０１は、アクティブＳＭＦとのＮ４関連付けが確立された後に、ＵＰＦとアクティブＳＭＦとの間のハートビートに従って、ＵＰＦとアクティブＳＭＦとの間のリンク状態を入手する。ハートビート等のキープアライブ機構が、リンク検出のためにＵＰＦとＳＭＦとの間に存在する、すなわち、検出メッセージが、リンク状態を決定するように、周期的に送信される。
【０２４６】
加えて、本実施形態の他の実装では、ＮＦは、非ＵＰＦ  ＮＦである、すなわち、ＮＦは、ＡＭＦ、ＰＣＦ、ＵＤＭ、または同等物である。入手モジュール１６０１は、非ＵＰＦ  ＮＦがアクティブＳＭＦとのシグナリング相互作用を確立した後に、非ＵＰＦ  ＮＦとアクティブＳＭＦとの間のハートビートまたはシグナリング相互作用応答状況に従って、非ＵＰＦ  ＮＦとアクティブＳＭＦとの間のリンク状態を入手し、それによって、アクティブＳＭＦが機能しなくなるかどうかを決定する。
【０２４７】
アクティブＳＭＦが機能しなくなることが検出されるとき、送信モジュール１６０２は、ＳＭＦ障害通知メッセージをスタンバイＳＭＦに送信し、機能しなくなったＳＭＦに取って代わり、機能しなくなったＳＭＦ上のＵＥを引き継ぐようにスタンバイＳＭＦをトリガしてもよい。ＮＦがＵＰＦであるとき、ある実装では、送信モジュール１６０２は、アクティブＳＭＦが機能しなくなることを決定するステップに応答して、スタンバイＳＭＦのＳＭＦ復旧のためのコールバックＵＲＩを通して、ＳＭＦ障害通知メッセージをスタンバイＳＭＦに送信することに留意されたい。別の実装では、送信モジュール１６０２はまた、アクティブＳＭＦが機能しなくなることを決定するステップに応答して、スタンバイＳＭＦのＮ４インターフェース情報を通して、ＳＭＦ障害通知メッセージをスタンバイＳＭＦに送信してもよい。
【０２４８】
加えて、送信モジュール１６０２はさらに、アクティブＳＭＦのスタンバイＳＭＦについての情報を入手し、スタンバイＳＭＦについての情報に従って、ＳＭＦ障害通知メッセージをスタンバイＳＭＦに送信するように構成される。スタンバイＳＭＦについての情報は、スタンバイＳＭＦのセット識別子、スタンバイＳＭＦのインスタンス識別子、スタンバイＳＭＦのＳＭＦ復旧のためのコールバックＵＲＩ、スタンバイＳＭＦのＮ４インターフェース情報、スタンバイＳＭＦのＳＭＦノード識別子、またはスタンバイＳＭＦの識別子とセグメントインデックスＩＤとの間の対応のうちの少なくとも１つを含む。
【０２４９】
スタンバイＳＭＦの識別子とセグメントインデックスＩＤとの間の対応は、アクティブＳＭＦ上のＵＥコンテキスト情報がセグメント化およびインデックス化された後の対応するスタンバイＳＭＦを示すために使用されることに留意されたい。あるＳＭＦが、障害の場合に、大量のデータをスタンバイＳＭＦに急に転送する必要があるときに、エラーが引き起こされ得ることを考慮して、ＳＭＦは、ＳＭＦによって記憶されたＵＥコンテキスト情報をセグメント化およびインデックス化し、インデックスＩＤを決定してもよく、インデックスＩＤは、情報の一部が１つのスタンバイＳＭＦに転送され、情報の別の部分が別のスタンバイＳＭＦに転送されることを示すために使用される。アクティブＳＭＦが、Ｎ４関連付け確立要求をＵＰＦに送信するとき、スタンバイＳＭＦの識別子とセグメントインデックスＩＤとの間の対応が、ＵＰＦに配信されるように搬送されてもよい。続いて、ＰＤＵセッションコンテキストが作成されるとき、アクティブＳＭＦは、対応するセグメントインデックスＩＤをＵＰＦに配信し、ＵＰＦは、復旧時の対応に従って、データが復旧されるスタンバイＭＦを決定してもよい。加えて、ＳＭＦ識別子は、ここでは、ＳＭＦインスタンスＩＤまたはＳＭＦノード識別子のうちの１つであってもよい。
【０２５０】
ＮＦが、ＵＰＦである場合、本実施形態のいくつかの実装では、送信モジュール１６０２は、Ｎ４関連付け確立要求、Ｎ４関連付け更新要求、Ｎ４セッション確立要求、またはＮ４セッション更新要求を受信するステップに応答して、要求メッセージ内で搬送されるスタンバイＳＭＦについての情報を入手し、スタンバイＳＭＦについての情報に従って、ＳＭＦ障害通知メッセージをスタンバイＳＭＦに送信する。
【０２５１】
本実施形態の他の実装では、送信モジュール１６０２はまた、ＮＲＦがアクティブＳＭＦからＮＦ登録要求を受信するときにアクティブＳＭＦによって登録されるスタンバイＳＭＦについての情報をＮＦリポジトリ機能（ＮＲＦ）から入手し、スタンバイＳＭＦについての情報に従って、ＳＭＦ障害通知メッセージをスタンバイＳＭＦに送信してもよい。
【０２５２】
本実施形態のいくつかの実装では、ＳＭＦ障害通知メッセージは、アクティブＳＭＦのＳＭＦインスタンス識別子、アクティブＳＭＦのＳＭＦノード識別子、アクティブＳＭＦのＳＭＦ障害インジケーション、またはＵＥ移行範囲インジケーションのうちの少なくとも１つを含む。
【０２５３】
加えて、ＵＥ移行範囲インジケーションは、例えば、全てのＵＥ、規定範囲内のＵＥ、またはランダム範囲内のＵＥのうちのいずれか１つを含む。
【０２５４】
図１７は、本願のある実施形態による、スタンバイＳＭＦに適用されるユーザ機器（ＵＥ）移行装置の構造図である。図１７に示されるように、ＵＥ移行装置は、受信モジュール１７０１と、移行モジュール１７０２とを含む。
【０２５５】
受信モジュール１７０１は、アクティブＳＭＦが機能しなくなることを決定するステップに応答して、ＮＦによって送信されるＳＭＦ障害通知メッセージを受信するように構成され、ＮＦは、ＳＭＦとのシグナリング相互作用を確立するＮＦである。
【０２５６】
移行モジュール１７０２は、アクティブＳＭＦ上のＵＥをスタンバイＳＭＦに移行させるように構成される。
【０２５７】
本願の実施形態では、アクティブＳＭＦは、ＮＦとのシグナリング相互作用を有する、現在のＳＭＦである。ＮＦが、アクティブＳＭＦが機能しなくなったＳＭＦであることを検出するとき、ＮＦは、ＳＭＦ障害通知メッセージをスタンバイＳＭＦに送信し、機能しなくなったＳＭＦに取って代わり、機能しなくなったＳＭＦ上のＵＥを引き継ぐようにスタンバイＳＭＦに命令する。
【０２５８】
本願の実施形態では、移行モジュール１７０２がアクティブＳＭＦ上のＵＥをスタンバイＳＭＦに移行させる様式は、限定ではないが、下記に説明される２つの様式を含む。
【０２５９】
様式１では、移行モジュール１７０２は、非構造化データ記憶機能（ＵＤＳＦ）から、アクティブＳＭＦ上のＵＥのコンテキスト情報を入手し、コンテキスト情報に従って、ＮＦ上のＳＭＦ情報を更新し、アクティブＳＭＦからスタンバイＳＭＦにＵＥを移行させる。すなわち、ＵＤＳＦが、ネットワークに存在する場合、ＳＭＦは、ＵＤＳＦ上にデータを動的に記憶し、障害の場合、移行モジュール１７０２は、ＵＤＳＦからコンテキストを入手する。
【０２６０】
様式２では、移行モジュール１７０２は、ローカル記憶装置内に動的にバックアップされたアクティブＳＭＦについての情報から、アクティブＳＭＦ上のＵＥのコンテキスト情報を入手し、コンテキスト情報に従って、ＮＦ上のＳＭＦ情報を更新し、アクティブＳＭＦからスタンバイＳＭＦにＵＥを移行させる。すなわち、ＵＤＳＦが、ネットワークに存在しない場合、ＳＭＦは、スタンバイＳＭＦ内にデータを動的にバックアップし、障害の場合、移行モジュール１７０２は、復旧のためにスタンバイＳＭＦのローカル記憶装置内のコンテキストを直接使用する。
【０２６１】
本実施形態のいくつかの実装では、移行モジュール１７０２は、ＳＭＦ障害通知メッセージ内のＵＥ移行範囲インジケーションに従って、アクティブＳＭＦ上のＵＥを決定し、移行モジュール１７０２は、決定されたＵＥをスタンバイＳＭＦに移行させる。ＵＥ移行範囲が、全てのＵＥに設定される場合、移行モジュール１７０２は、アクティブＳＭＦ上の全てのＵＥをスタンバイＳＭＦに移行させる。ＵＥ移行範囲が、規定範囲内のＵＥに設定される場合、移行モジュール１７０２は、アクティブＳＭＦ上の規定ＵＥをスタンバイＳＭＦに移行させる。ＵＥ移行範囲が、規定されていない範囲に設定される場合、移行モジュール１７０２は、ローカルポリシに従って、ランダムに決定されたＵＥをスタンバイＳＭＦに移行させ、ランダムに決定されたＵＥは、ＵＥの全てまたは一部であってもよい。
【０２６２】
加えて、本願の実施形態では、移行モジュール１７０２がアクティブＳＭＦ上のＵＥを移行させる様式はさらに、限定ではないが、下記に説明される３つの様式を含む。
【０２６３】
様式１では、移行モジュール１７０２は、単一のＵＥのユニット内のＵＥのコンテキスト情報に従って、ＮＦ上のＳＭＦ情報を更新する。
【０２６４】
本実施形態のいくつかの実装では、移行モジュール１７０２が、単一のＵＥのユニット内のＵＥのコンテキスト情報に従って、ＮＦ上のＳＭＦ情報を更新する動作は、下記に説明される動作のうちの少なくとも１つを含む。移行モジュール１７０２は、ＵＥのコンテキスト情報に従って、Ｎ４セッション更新要求をユーザプレーン機能（ＵＰＦ）に送信し、ＵＰＦ上のＳＭＦ情報を更新し、Ｎ４セッション更新要求は、ＳＭＦ置換インジケーションと、アクティブＳＭＦについての情報とを含む。移行モジュール１７０２は、ＵＥのコンテキスト情報に従って、ＳＭＦ登録更新要求を統一データ管理（ＵＤＭ）機能に送信し、ＵＤＭ上のＳＭＦ情報を更新し、ＳＭＦ登録更新要求は、ＳＭＦ置換インジケーションと、アクティブＳＭＦについての情報とを含む。移行モジュール１７０２は、ＵＥのコンテキスト情報に従って、ＳＭセッション状態更新要求をＡＭＦに送信し、ＡＭＦ上のＳＭＦ情報を更新し、ＳＭセッション状態更新要求は、ＳＭＦ置換インジケーションと、アクティブＳＭＦについての情報とを含む。移行モジュール１７０２は、ＵＥのコンテキスト情報に従って、ＳＭポリシ更新要求をポリシ制御機能（ＰＣＦ）に送信し、ＰＣＦ上のＳＭＦ情報を更新し、ＳＭポリシ更新要求は、ＳＭＦ置換インジケーションと、アクティブＳＭＦについての情報とを含む。
【０２６５】
様式２では、移行モジュール１７０２は、単一のＮＦのユニット内のＵＥのコンテキスト情報に従って、ＮＦ上のＳＭＦ情報を更新する。
【０２６６】
本実施形態のいくつかの実装では、移行モジュール１７０２が、単一のＮＦのユニット内のＵＥのコンテキスト情報に従って、ＮＦ上のＳＭＦ情報を更新する動作は、下記に説明される動作のうちの少なくとも１つを含む。移行モジュール１７０２は、ＵＥのコンテキスト情報に従って、ＮＦ置換要求を各ＵＰＦに送信し、ＵＰＦ上のＳＭＦ情報を更新し、ＮＦ置換要求は、ＳＭＦ置換インジケーションと、アクティブＳＭＦについての情報とを含む。移行モジュール１７０２は、ＵＥのコンテキスト情報に従って、ＮＦ置換要求を各ＵＤＭに送信し、ＵＤＭ上のＳＭＦ情報を更新し、ＮＦ置換要求は、ＳＭＦ置換インジケーションと、アクティブＳＭＦについての情報とを含む。移行モジュール１７０２は、ＵＥのコンテキスト情報に従って、ＮＦ置換要求を各ＡＭＦに送信し、ＡＭＦ上のＳＭＦ情報を更新し、ＮＦ置換要求は、ＳＭＦ置換インジケーションと、アクティブＳＭＦについての情報とを含む。移行モジュール１７０２は、ＵＥのコンテキスト情報に従って、ＮＦ置換要求を各ＰＣＦに送信し、ＰＣＦ上のＳＭＦ情報を更新し、ＮＦ置換要求は、ＳＭＦ置換インジケーションと、アクティブＳＭＦについての情報とを含む。
【０２６７】
様式３では、移行モジュール１７０２は、ＮＦ上のＳＭＦ情報が更新されるように、単一のＵＥのユニット内のＵＥのコンテキスト情報に従って、パケットデータユニット（ＰＤＵ）セッションを更新する。
【０２６８】
本実施形態のいくつかの実装では、移行モジュール１７０２が、単一のＵＥをユニットとして使用するとき、移行モジュール１７０２は、ＵＥのコンテキスト情報に従って、Ｎ１／Ｎ２メッセージ転送要求をＡＭＦに送信し、Ｎ１／Ｎ２メッセージ転送要求は、ＡＭＦがＰＤＵセッション更新要求をＵＥに送信し、ＰＤＵセッションを更新するように、ＰＤＵセッション更新要求を含む。
【０２６９】
本願の実施形態によって提供されるＵＥ移行方法によると、いくつかの実装では、ＳＭＦとのシグナリング相互作用を確立するＮＦは、ＮＦとＳＭＦとの間のリンク状態を入手し、ＮＦは、アクティブＳＭＦが機能しなくなることを決定するステップに応答して、ＳＭＦ障害通知メッセージをスタンバイＳＭＦに送信し、スタンバイＳＭＦは、受信されたＳＭＦ障害通知メッセージに従って、アクティブＳＭＦ上のＵＥをスタンバイＳＭＦに移行させ、これは、ＳＭＦの障害が、ＰＤＵセッションの障害およびＵＥのアップリンクならびにダウンリンクデータを正常に伝送することができないことをもたらす場合を効果的に回避し得る。さらに、本願はさらに、ＳＭＦ復旧のための全体的な時間を効果的に節約し得る、バッチで機能しなくなったＳＭＦ上のＵＥをスタンバイＳＭＦに復旧するための方法を提供する。
【０２７０】
（実施形態５）
本願の実施形態はさらに、ＮＦを提供する。図１８に示されるように、ＮＦは、第１のプロセッサ１８０１と、第１のメモリ１８０２と、第１の通信バス１８０３とを含む。第１の通信バス１８０３は、第１のプロセッサ１８０１と第１のメモリ１８０２との間の接続および通信を実装するように構成される。第１のプロセッサ１８０１は、第１のメモリ１８０２内に記憶された１つ以上のコンピュータプログラムを実行し、上記に説明される実施形態１においてＮＦに適用されるユーザ機器（ＵＥ）移行方法の少なくとも１つのステップを実装するように構成される。
【０２７１】
本願の実施形態はさらに、スタンバイＳＭＦを提供する。図１９に示されるように、スタンバイＳＭＦは、第２のプロセッサ１９０１と、第２のメモリ１９０２と、第２の通信バス１９０３とを含む。第２の通信バス１９０３は、第２のプロセッサ１９０１と第２のメモリ１９０２との間の接続および通信を実装するように構成される。第２のプロセッサ１９０１は、第２のメモリ１９０２内に記憶された１つ以上のコンピュータプログラムを実行し、上記に説明される実施形態２においてスタンバイＳＭＦに適用されるユーザ機器（ＵＥ）移行方法の少なくとも１つのステップを実装するように構成される。
【０２７２】
本願の実施形態はさらに、ユーザ機器（ＵＥ）移行システムを提供する。図２０に示されるように、ＵＥ移行システムは、第３のプロセッサ２００１と、第３のメモリ２００２と、第３の通信バス２００３とを含む。第３の通信バス２００３は、第３のプロセッサ２００１と第３のメモリ２００２との間の接続および通信を実装するように構成される。第３のプロセッサ２００１は、第３のメモリ２００２内に記憶された１つ以上のコンピュータプログラムを実行し、上記に説明される実施形態３においてＮＦおよびスタンバイＳＭＦを含むシステムに適用されるユーザ機器（ＵＥ）移行方法の少なくとも１つのステップを実装するように構成される。
【０２７３】
本願の実施形態はさらに、コンピュータ可読記憶媒体を提供する。コンピュータ可読記憶媒体は、情報（コンピュータ可読命令、データ構造、コンピュータプログラムモジュール、または他のデータ等）の記憶のための任意の方法または技術で実装される、揮発性または不揮発性、リムーバブルまたは非リムーバブル媒体を含む。コンピュータ可読記憶媒体は、限定ではないが、ランダムアクセスメモリ（ＲＡＭ）、読取専用メモリ（ＲＯＭ）、電気的消去可能プログラマブル読取専用メモリ（ＥＥＰＲＯＭ）、フラッシュメモリ、または他のメモリ技術、コンパクトディスク読取専用メモリ（ＣＤ−ＲＯＭ）、デジタル多用途ディスク（ＤＶＤ）、または別の光ディスク記憶装置、磁気カセット、磁気テープ、ディスク記憶装置、または別の磁気記憶装置、もしくは所望の情報を記憶するために使用され、コンピュータによってアクセスされ得る、任意の他の媒体を含む。
【０２７４】
本実施形態におけるコンピュータ可読記憶媒体は、プロセッサによって実行可能な１つ以上のコンピュータプログラムを記憶し、上記に説明される実施形態１および／または実施形態２ならびに／もしくは実施形態３におけるユーザ機器（ＵＥ）移行方法の少なくとも１つのステップを実装するように構成されてもよい。
【０２７５】
本実施形態はさらに、コンピュータ可読媒体上に分散され、上記に説明される実施形態１および／または実施形態２ならびに／もしくは実施形態３におけるユーザ機器（ＵＥ）移行方法の少なくとも１つのステップを実装するように、コンピューティング装置によって実行され得る、コンピュータプログラムを提供する。いくつかの状況では、少なくとも１つの図示または説明されるステップは、上記に説明される実施形態に説明されるものと異なる順序で実行されてもよい。
【０２７６】
本実施形態はさらに、上記に図示されるコンピュータプログラムが記憶される、コンピュータ可読装置を含む、コンピュータプログラム製品を提供する。本実施形態におけるコンピュータ可読装置は、上記に図示されるコンピュータ可読記憶媒体を含んでもよい。
【０２７７】
当業者は、上記に開示される方法、システム、および装置のステップの全てまたは一部における機能モジュール／ユニットが、ソフトウェア（コンピューティング装置によって実行可能なコンピュータプログラムコードによって実装され得る）、ファームウェア、ハードウェア、およびそれらの適切な組み合わせとして実装され得ることを理解するべきであることが分かり得る。ハードウェア実装では、上記の説明に述べられる機能モジュール／ユニットの分割は、物理的コンポーネントの分割に対応しない場合がある。例えば、１つの物理的コンポーネントが、複数の機能を有してもよい、または１つの機能もしくはステップが、いくつかの物理的コンポーネントによって合同で実施されてもよい。いくつかまたは全ての物理的コンポーネントが、中央処理ユニット、デジタル信号プロセッサ、もしくはマイクロコントローラ等のプロセッサによって実行されるソフトウェアとして実装されてもよい、ハードウェアとして実装されてもよい、または特定用途向け集積回路等の集積回路として実装されてもよい。
【０２７８】
加えて、当業者に公知であるように、通信媒体は、概して、コンピュータ可読命令、データ構造、コンピュータプログラムモジュール、またはキャリアもしくは他の伝送機構等の変調データ信号内の他のデータを含み、任意の情報配信媒体を含んでもよい。したがって、本願は、ハードウェアおよびソフトウェアのいずれの特定の組み合わせにも限定されない。
【図１】
2022502926.tif 000003
【図２】
2022502926.tif 000004
【図３】
2022502926.tif 000005
【図４】
2022502926.tif 000006
【図５】
2022502926.tif 000007
【図６】
2022502926.tif 000008
【図７】
2022502926.tif 000009
【図８】
2022502926.tif 000010
【図９】
2022502926.tif 000011
【図１０】
2022502926.tif 000012
【図１１】
2022502926.tif 000013
【図１２】
2022502926.tif 000014
【図１３】
2022502926.tif 000015
【図１４】
2022502926.tif 000016
【図１５】
2022502926.tif 000017
【図１６】
2022502926.tif 000018
【図１７】
2022502926.tif 000019
【図１８】
2022502926.tif 000020
【図１９】
2022502926.tif 000021
【図２０】
2022502926.tif 000022
【国際調査報告】
2022502926.tif 000023
2022502926.tif 000024
2022502926.tif 000025
2022502926.tif 000026